(57)【特許請求の範囲】
【請求項１】
被写体がカメラにより撮影された画像とそのときの時刻を表す時刻情報とを含むｍ個の画像データ（ｍは２以上の整数）を表す画像データ列｛Ｄ（ｉ）｜Ｄ（ｉ）＝Ｄ（１）、Ｄ（２）、Ｄ（３）、…、Ｄ（ｍ）｝を取り込む画像データ取込部と、
前記画像データ列｛Ｄ（ｉ）｝が表す前記ｍ個の画像データの中から、前記時刻の間隔が等しい連写画像データ群を選択する時間情報解析部と、
前記画像データ列｛Ｄ（ｉ）｝が表す前記ｍ個の画像データの中から、前記時刻の間隔が等しくなく、且つ、前記画像が類似する類似画像データ群を選択する画像類似比較部と、
時間に対する重み付けを表す値として時間重要度ＧＡが登録された時間登録データベースと、ここで、前記時間重要度ＧＡは、前記連写画像データ群に対する重み付けを表す記号として連写重要度Ｒと、前記類似画像データ群のうちの第１類似画像データに対する重み付けを表す値として類似優先重要度１と、前記類似画像データ群のうちの前記第１類似画像データ以外の第２類似画像データ群に対する重み付けを表す記号として類似予備重要度Ｙとを含み、
前記時間登録データベースを参照して、前記画像データ列｛Ｄ（ｉ）｝が表す前記ｍ個の画像データの中から、前記連写画像データ群、前記第１類似画像データ、前記第２類似画像データ群に対して、それぞれ前記連写重要度Ｒ、前記類似優先重要度１、前記類似予備重要度Ｙを割り当て、前記連写画像データ群及び前記類似画像データ群以外の画像データに対して０を割り当てて、前記時間重要度ＧＡを表す時間重要度列｛ＧＡ（ｉ）｝を生成する時間重要度判定部と、
前記時間重要度列｛ＧＡ（ｉ）｝に基づいて、前記画像データ列｛Ｄ（ｉ）｝が表す前記ｍ個の画像データのそれぞれに対するｍ個の重要度を表す重要度列｛Ｇ（ｉ）｝を生成する重要度集計部と、
前記重要度列｛Ｇ（ｉ）｝が表す前記ｍ個の重要度に基づいて、前記画像データ列｛Ｄ（ｉ）｝が表す前記ｍ個の画像データの表示サイズと配置とを決定し、前記ｍ個の画像データを表示装置に表示するための電子アルバムを生成するアルバム作成部と
を具備する電子アルバム自動作成装置。
【請求項２】
請求項１に記載の電子アルバム自動作成装置において、
参照用被写体を表す被写体情報と、前記参照用被写体に対する重み付けを表す値として被写体重要度ＧＢ（０＜ＧＢ≦１）とが登録された被写体登録データベースと、
前記被写体登録データベースを参照して、前記画像データ列｛Ｄ（ｉ）｝が表す前記ｍ個の画像データの中から、前記参照用被写体に一致する前記被写体が撮影された前記画像を含む被写体画像データ群を選択する被写体認識部と、
前記被写体登録データベースを参照して、前記画像データ列｛Ｄ（ｉ）｝が表す前記ｍ個の画像データの中から、前記被写体画像データ群に対して前記被写体重要度ＧＢを割り当て、前記被写体画像データ群以外の画像データに対して０を割り当てて、前記被写体重要度ＧＢを表す被写体重要度列｛ＧＢ（ｉ）｝を生成する被写体重要度判定部と
を具備し、
前記重要度集計部は、前記時間重要度列｛ＧＡ（ｉ）｝と前記被写体重要度列｛ＧＢ（ｉ）｝とを加算して前記重要度列｛Ｇ（ｉ）｝を生成する
電子アルバム自動作成装置。
【請求項３】
請求項２に記載の電子アルバム自動作成装置において、
前記時間登録データベース、前記被写体登録データベースに対する重み付けを表す値として、それぞれ、集計用時間重要度ＧＡ’（０＜ＧＡ’≦１）、集計用被写体重要度ＧＢ’（０＜ＧＢ’≦１）が登録された集計用登録データベース
を更に具備し、
前記重要度集計部は、前記集計用登録データベースを参照して、
Ｇ（ｉ）＝（ＧＡ（ｉ）×ＧＡ’）＋（ＧＢ（ｉ）×ＧＢ’）
により、前記重要度列｛Ｇ（ｉ）｝を生成する
電子アルバム自動作成装置。
【請求項４】
請求項２に記載の電子アルバム自動作成装置において、
前記ｍ個の画像データの各々は、前記被写体を撮影したときの前記カメラの設定を表すカメラ情報を含み、
参照用カメラ情報と、前記参照用カメラ情報に対する重み付けを表す値としてカメラ情報重要度ＧＣ（０＜ＧＣ≦１）とが登録されたカメラ情報登録データベースと、
前記カメラ情報登録データベースを参照して、前記画像データ列｛Ｄ（ｉ）｝が表す前記ｍ個の画像データの中から、前記参照用カメラ情報に一致する前記カメラ情報を含むカメラ情報画像データ群を選択するカメラ情報認識部と、
前記カメラ情報登録データベースを参照して、前記画像データ列｛Ｄ（ｉ）｝が表す前記ｍ個の画像データの中から、前記カメラ情報画像データ群に対して前記カメラ情報重要度ＧＣを割り当てて、前記カメラ情報画像データ群以外の画像データに対して０を割り当てて、前記カメラ情報重要度ＧＣを表すカメラ情報重要度列｛ＧＣ（ｉ）｝を生成するカメラ情報重要度判定部と
を更に具備し、
前記重要度集計部は、
前記時間重要度列｛ＧＡ（ｉ）｝と前記被写体重要度列｛ＧＢ（ｉ）｝と前記カメラ情報重要度列｛ＧＣ（ｉ）｝とを加算して前記重要度列｛Ｇ（ｉ）｝を生成する
電子アルバム自動作成装置。
【請求項５】
請求項４に記載の電子アルバム自動作成装置において、
前記時間登録データベース、前記被写体登録データベース、前記カメラ情報登録データベースに対する重み付けを表す値として、それぞれ、集計用時間重要度ＧＡ’（０＜ＧＡ’≦１）、集計用被写体重要度ＧＢ’（０＜ＧＢ’≦１）、集計用カメラ情報重要度ＧＣ’（０＜ＧＣ’≦１）が登録された集計用登録データベース
を更に具備し、
前記重要度集計部は、前記集計用登録データベースを参照して、
Ｇ（ｉ）＝（ＧＡ（ｉ）×ＧＡ’）＋（ＧＢ（ｉ）×ＧＢ’）＋（ＧＣ（ｉ）×ＧＣ’）
により、前記重要度列｛Ｇ（ｉ）｝を生成する
電子アルバム自動作成装置。
【請求項６】
請求項１〜５のいずれかに記載の電子アルバム自動作成装置において、
複数の重要度と、複数のサイズとが登録されたサイズ登録データベース
を更に具備し、
前記複数の重要度は、高重要度Ａと、前記高重要度Ａより低い低重要度Ｃと、前記高重要度Ａと前記低重要度Ｃとの間の中重要度Ｂと、前記連写重要度Ｒと、前記類似予備重要度Ｙとを含み、
前記複数のサイズは、大サイズと、前記大サイズより小さい小サイズと、前記大サイズと前記小サイズとの間の中サイズとを含み、
前記大サイズ、前記中サイズ、前記小サイズはそれぞれ前記高重要度Ａ、前記中重要度Ｂ、前記低重要度Ｃに対応し、
前記電子アルバムは、ページを表すＮ個の分割領域ページレイアウトデータ（Ｎは１以上の整数）を含み、
前記Ｎ個の分割領域ページレイアウトデータは、前記大サイズと前記中サイズと前記小サイズとの少なくとも１つのサイズに対応する表示領域を有し、
前記アルバム作成部は、
前記サイズ登録データベースを参照して、前記重要度列｛Ｇ（ｉ）｝が表す前記ｍ個の重要度の中から、前記連写重要度Ｒ、前記類似優先重要度及び前記類似予備重要度Ｙ以外の領域重要度群を選択し、前記領域重要度群の中から、前記高重要度Ａ、中重要度Ｂ、低重要度Ｃに対応する対応高重要度群、対応中重要度群、対応低重要度群を選択する対応重要度判定部と、
前記サイズ登録データベースを参照して、前記画像データ列｛Ｄ（ｉ）｝が表す前記ｍ個の画像データの中から、前記連写画像データ群及び前記類似画像データ群以外の領域画像データ群を選択し、前記領域画像データ群の合計値が前記Ｎ個の分割領域ページレイアウトデータの前記表示領域のサイズの合計値に収まるように、前記領域画像データ群のうちの、前記対応高重要度群、前記対応中重要度群、前記対応低重要度群に対応する画像データを、前記大サイズ、前記中サイズ、前記小サイズに調整して、前記Ｎ個の分割領域ページレイアウトデータの前記表示領域に配置する領域レイアウト制御部と
を具備する電子アルバム自動作成装置。
【請求項７】
請求項６に記載の電子アルバム自動作成装置において、
前記複数のサイズは、前記小サイズより小さい連写サイズと、前記中サイズ又は前記小サイズより小さい予備サイズとを更に含み、
前記連写サイズ、前記予備サイズはそれぞれ前記連写重要度Ｒ、前記類似予備重要度Ｙに対応し、
前記電子アルバムは、連写用時間軸ページレイアウトデータと、類似用時間軸ページレイアウトデータとを更に含み、
前記連写用時間軸ページレイアウトデータ、前記類似用時間軸ページレイアウトデータは、前記表示領域を有し、
前記アルバム作成部は、
前記サイズ登録データベースを参照して、前記重要度列｛Ｇ（ｉ）｝が表す前記ｍ個の重要度の中から、前記連写画像データ群に対応する前記連写重要度Ｒを選択し、前記連写重要度Ｒに対応する前記表示サイズとして前記連写サイズを決定して、前記連写サイズを表す連写表示サイズ列を生成する表示サイズ判定部と、
前記サイズ登録データベースを参照して、前記連写表示サイズ列が表す前記連写サイズの合計値が前記連写用時間軸ページレイアウトデータの前記表示領域のサイズに収まるように、前記連写表示サイズ列が表す前記連写サイズの各々を調整して、前記画像データ列｛Ｄ（ｉ）｝が表す前記連写画像データ群を、前記連写用時間軸ページレイアウトデータの前記表示領域に配置する時間軸レイアウト制御部と
を更に具備し、
前記表示サイズ判定部は、前記サイズ登録データベースを参照して、前記重要度列｛Ｇ（ｉ）｝が表す前記ｍ個の重要度の中から、前記第１類似画像データに対応する重要度として類似優先重要度を選択し、前記類似優先重要度に対応する前記表示サイズとして前記類似優先サイズを決定し、前記第２類似画像データ群に対応する前記類似予備重要度Ｙを選択し、前記類似予備重要度Ｙに対応する前記表示サイズとして前記予備サイズを決定し、前記類似優先サイズと前記予備サイズとを表す類似表示サイズ列を生成し、
前記時間軸レイアウト制御部は、前記サイズ登録データベースを参照して、前記類似表示サイズ列が表す前記類似優先サイズと前記予備サイズとの合計値が前記類似用時間軸ページレイアウトデータの前記表示領域のサイズに収まるように、前記類似表示サイズ列が表す前記予備サイズの各々を小さくし、前記画像データ列｛Ｄ（ｉ）｝が表す前記類似画像データ群を、前記類似用時間軸ページレイアウトデータの前記表示領域に配置する
電子アルバム自動作成装置。
【請求項８】
ＣＰＵ（Ｃｅｎｔｒａｌ  Ｐｒｏｃｅｓｓｉｎｇ  Ｕｎｉｔ）と記憶装置とを備えるコンピュータが実行する電子アルバム自動作成方法において、
前記ＣＰＵが、被写体がカメラにより撮影された画像とそのときの時刻を表す時刻情報とを含むｍ個の画像データ（ｍは２以上の整数）を表す画像データ列｛Ｄ（ｉ）｜Ｄ（ｉ）＝Ｄ（１）、Ｄ（２）、Ｄ（３）、…、Ｄ（ｍ）｝を取り込むステップと、
前記ＣＰＵが、前記画像データ列｛Ｄ（ｉ）｝が表す前記ｍ個の画像データの中から、前記時刻の間隔が等しい連写画像データ群を選択するステップと、
前記ＣＰＵが、前記画像データ列｛Ｄ（ｉ）｝が表す前記ｍ個の画像データの中から、前記時刻の間隔が等しくなく、且つ、前記画像が類似する類似画像データ群を選択するステップと、ここで、前記記憶装置は、時間に対する重み付けを表す値として時間重要度ＧＡが登録された時間登録データベースを備え、前記時間重要度ＧＡは、前記連写画像データ群に対する重み付けを表す記号として連写重要度Ｒと、前記類似画像データ群のうちの第１類似画像データに対する重み付けを表す値として類似優先重要度１と、前記類似画像データ群のうちの前記第１類似画像データ以外の第２類似画像データ群に対する重み付けを表す記号として類似予備重要度Ｙとを含み、
前記ＣＰＵが、前記時間登録データベースを参照して、前記画像データ列｛Ｄ（ｉ）｝が表す前記ｍ個の画像データの中から、前記連写画像データ群、前記第１類似画像データ、前記第２類似画像データ群に対して、それぞれ前記連写重要度Ｒ、前記類似優先重要度１、前記類似予備重要度Ｙを割り当て、前記連写画像データ群及び前記類似画像データ群以外の画像データに対して０を割り当てて、前記時間重要度ＧＡを表す時間重要度列｛ＧＡ（ｉ）｝を生成するステップと、
前記ＣＰＵが、前記時間重要度列｛ＧＡ（ｉ）｝に基づいて、前記画像データ列｛Ｄ（ｉ）｝が表す前記ｍ個の画像データのそれぞれに対するｍ個の重要度を表す重要度列｛Ｇ（ｉ）｝を生成するステップと、
前記ＣＰＵが、前記重要度列｛Ｇ（ｉ）｝が表す前記ｍ個の重要度に基づいて、前記画像データ列｛Ｄ（ｉ）｝が表す前記ｍ個の画像データの表示サイズと配置とを決定し、前記ｍ個の画像データを表示装置に表示するための電子アルバムを生成するステップと
を具備する電子アルバム自動作成方法。
【請求項９】
請求項８に記載の電子アルバム自動作成方法の各ステップを前記コンピュータに実行させるコンピュータプログラム。
【発明の詳細な説明】
【技術分野】
【０００１】
本発明は、画像データを編集する電子アルバムを作成する装置に関する。
【背景技術】
【０００２】
デジタルカメラの普及に伴い、そのカメラにより被写体が撮影された画像を表す画像データを編集する電子アルバムを作成する装置が開発されている。
【０００３】
例えば、利用者自身が装置を用いて電子アルバムを作成する場合、図１に示されるように、利用者は、その装置を操作して、１番目から最終番目までの複数の画像データの中から、利用者が希望する選択画像データを選択して、電子アルバムに１枚１枚貼り付ける。しかし、利用者にとって操作の負担が大きく、電子アルバムを作成するときの作成時間がかかってしまう。
【０００４】
利用者の操作の負担を軽減し、作成時間を短縮する場合、例えば、電子アルバムを作成するフォーマットとして複数のテンプレートが装置に予め用意される。利用者は、その装置を操作して、複数のテンプレートの中から、利用者が希望する選択テンプレートを選択する。装置は、図２に示されるように、１番目から最終番目までの複数の画像データをこの順に選択テンプレートに貼り付ける。この場合、複数の画像データが選択テンプレートに自動的に貼り付けられるため、利用者の操作の負担が軽減され、作成時間が短縮する。しかし、複数の画像データの各々が選択テンプレートに貼り付けられるときの配置は一律同じであり、見栄えとしても利用者が単調なイメージを感じてしまう電子アルバムとなってしまう。
【０００５】
上記の単調さを防ぐ場合、例えば、図３に示されるように、画像データが配置されるときのサイズを変えたテンプレートが装置に予め用意される。装置は、１番目から最終番目までの複数の画像データをこの順に上記のテンプレートに貼り付ける。例えば、複数の画像データのうちの第１〜第３画像データが１ページ内に貼り付けられる場合、第１画像データのサイズが第２、第３画像データのそれよりも大きくなる。しかし、利用者にとって、サイズが大きい第１画像データよりも、サイズが小さい第２画像データのほうが重要である場合がある。
【０００６】
上記に関連する技術を紹介する。
【０００７】
特開平０８−０６５６１３号公報に電子アルバムシステムが記載されている（特許文献１）。電子アルバムシステムは、記録媒体に記録されている複数駒の画像情報を編集して表示することが可能なシステムである。この電子アルバムシステムは、上記記録媒体から使用者が所望とする画像情報を選択する選択手段と、上記選択手段により選択された所望の画像情報に重要度に応じた重み付けを行う重要度設定手段と、上記選択手段により選択された画像情報と当該画像情報に対応する重要度情報とを記憶する記憶手段と、上記記憶手段に記憶された重要度情報に基づいて上記選択手段により選択された画像情報の表示状態を制御する表示状態制御手段と、を具備することを特徴としている。これにより、電子アルバムシステムでは、簡単な構成及び操作で、使用者の写真に対する重要度を考慮して、所望とする枚数、上映時間、内容の撮影画像を再生可能としている。
【０００８】
特開平１１−３５３４６６号公報に画像処理装置が記載されている（特許文献２）。画像処理装置は、画像データを管理する装置である。この画像処理装置は、画像データを貼り付ける画像貼付エリアを有する複数種類のレイアウトテンプレートより、所望のレイアウトテンプレートを指定するレイアウトテンプレート指定手段と、前記レイアウトテンプレート指定手段で指定されたレイアウトテンプレートに貼り付ける画像データを指定する画像データ指定手段と、前記レイアウトテンプレート指定手段で指定されたレイアウトテンプレートの構成を解析する解析手段と、前記解析手段による解析結果に基づいて、前記画像データ指定手段で指定された画像データの前記レイアウトテンプレートへの貼り付けを行うレイアウト管理手段と、前記貼付手段による貼付処理後の前記レイアウトテンプレートを出力する出力制御手段とを備えることを特徴としている。このように、画像処理装置では、用意されたテンプレートに写真やフォントデータを貼り付けた後に、テンプレートを変更した際、そのテンプレートに合わせて最適な写真を貼り直している。
【０００９】
特開平０７−３１１８３３号公報に顔検出装置が記載されている（特許文献３）。顔検出装置は、人物の顔が撮影されている画像中を、画像の天地方向に調べた時に、明るさが明から暗そして明に変化する点と、暗から明に変化する点で挟まれる領域を検出する手段と、該領域から、該領域の形状特徴と領域内の輝度特徴が人物の目に近い領域を目候補領域として取り出す手段と、上記領域から、上記領域の形状特徴と領域内の輝度特徴が人物の口に近い領域を口候補領域として取り出す手段と、上記目候補領域から２つ、上記口候補領域から１つを重複せずに任意に組み合わせ、人物の顔らしい配置を為している組み合わせを取り出して顔候補領域として検出する手段とを有することを特徴としている。
【００１０】
特開２００２−２４８３０号公報に画像照合装置が記載されている（特許文献４）。画像照合装置は、人の顔の標準的な立体形状を記述した顔立体形状モデルを用いて、入力画像及び参照画像から各画像の被写体における顔の表面反射率を推定する照明変動補正手段と、前記照明変動補正手段で推定された２つの顔表面反射率を比較照合する照合手段とを設けたことを特徴としている。
【００１１】
特開２００３−１４１５４０号公報に類似性判定装置が記載されている（特許文献５）。類似性判定装置は、検索対象信号および問合せ信号それぞれの第１の信号特徴量および第２の信号特徴量に基づいて前記検索対象信号と前記問合せ信号との類似性を判定する。この類似性判定装置は、前記検索対象信号の第１の信号特徴量と前記問合せ信号の第１の信号特徴量との距離を求める際に使用する、前記第１の信号特徴量の要素に対する重み値を、前記第２の信号特徴量のタイプに応じて決定する重み決定手段と、前記検索対象信号の第１の信号特徴量と前記問合せ信号の第１の信号特徴量との距離を、前記重み付け決定手段により決定された重み値に基づき算出する第１の信号特徴量間距離算出手段と、前記検索対象信号の第２の信号特徴量と前記問合せ信号の第２の信号特徴量との距離を算出する第２の信号特徴量間距離算出手段と、前記第１の信号特徴量間距離算出手段により算出された距離と、前記第２の信号特徴量間距離算出手段により算出された距離とに基づき、前記検索対象信号と問合せ信号との類似性を判定する類似性判定手段とを備えたことを特徴としている。
【００１２】
【特許文献１】特開平０８−０６５６１３号公報（請求項１）
【特許文献２】特開平１１−３５３４６６号公報（請求項１）
【特許文献３】特開平０７−３１１８３３号公報（請求項１）
【特許文献４】特開２００２−２４８３０号公報（請求項１）
【特許文献５】特開２００３−１４１５４０号公報（請求項１）
【発明の開示】
【発明が解決しようとする課題】
【００１３】
本発明の課題は、利用者が単調なイメージを感じてしまうことなく、且つ、利用者の意図を反映した電子アルバムを自動的に作成することができる電子アルバム自動作成装置を提供することにある。
【課題を解決するための手段】
【００１４】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１５】
本発明の電子アルバム自動作成装置（１）は、コンピュータであり、コンピュータプログラム（５）とデータベース（４０）とが格納された記憶装置（４）と、コンピュータプログラム（５）を実行する制御装置（２）とを具備している。
前記コンピュータプログラム（５）は、画像データ取込部（１０）と、重要度割当部（２０）と、アルバム作成部（３０）とを具備している。
前記画像データ取込部（１０）は、被写体が撮影された画像を含む複数の画像データを取り込む。
前記データベース（４０）には、前記画像に対する重み付けを表す値として重要度が登録されている。
前記重要度割当部（２０）は、前記データベース（４０）を参照して、前記複数の画像データのそれぞれに対する前記重要度として複数の重要度を割り当てる。
前記アルバム作成部（３０）は、前記複数の重要度に基づいて、前記複数の画像データを表示装置（７）に表示するための電子アルバム（６０）を生成する。
【００１６】
本発明の電子アルバム自動作成装置（１）によれば、予め用意されたテンプレートに複数の画像データを貼り付けるのではなく、複数の画像データに対する複数の重要度により電子アルバム（６０）を生成する。このため、本発明の電子アルバム自動作成装置（１）によれば、利用者が単調なイメージを感じてしまうことなく、且つ、利用者の意図を反映した電子アルバム（６０）を自動的に作成することができる。
【００１７】
本発明の第（Ｉ）〜（ＩＩＩ）の観点による電子アルバム自動作成装置（１）について説明する。第（Ｉ）〜（ＩＩＩ）の観点は、［発明を実施するための最良の形態］に記載された（Ｉ）〜（ＩＩＩ）の場合に対応する。
前記画像データ取込部（１０）は、前記複数の画像データとしてｍ個の画像データ（ｍは２以上の整数）を表す画像データ列｛Ｄ（ｉ）｜Ｄ（ｉ）＝Ｄ（１）、Ｄ（２）、Ｄ（３）、…、Ｄ（ｍ）｝を取り込んで、前記重要度割当部（２０）に出力する。
前記重要度割当部（２０）は、重要度集計部（２８）を具備している。
前記重要度集計部（２８）は、前記画像データ列｛Ｄ（ｉ）｝に対して、前記複数の重要度としてｍ個の重要度を表す重要度列｛Ｇ（ｉ）｝を生成し、前記アルバム作成部（３０）に出力する。
前記電子アルバム（６０）は、表示領域を含んでいる。
前記アルバム作成部（３０）は、前記重要度列｛Ｇ（ｉ）｝が表す前記ｍ個の重要度（Ｇ（１）〜Ｇ（ｍ））に基づいて、前記画像データ列｛Ｄ（ｉ）｝が表す前記ｍ個の画像データ（Ｄ（１）〜Ｄ（ｍ））を前記表示領域に表示するときの表示サイズと配置とを決定する。
【００１８】
本発明の電子アルバム自動作成装置（１）によれば、予め用意されたテンプレートに複数の画像データを貼り付けるのではなく、複数の画像データに対する複数の重要度により、電子アルバム（６０）の表示領域に表示するときの表示サイズと配置とを決定する。このため、本発明の電子アルバム自動作成装置（１）によれば、利用者が単調なイメージを感じてしまうことなく、且つ、利用者の意図を反映した電子アルバム（６０）を自動的に作成することができる。
【００１９】
本発明の第（Ｉ）、（ＩＩ）の観点による電子アルバム自動作成装置（１）において、前記データベース（４０）は、被写体登録データベース（４２）を具備している。
前記被写体登録データベース（４２）には、参照用被写体（ＰＡ、ＰＢ、ＰＣ、ＰＤ、…）を表す被写体情報と、前記参照用被写体（ＰＡ、ＰＢ、ＰＣ、ＰＤ、…）に対する重み付けを表す値として被写体重要度ＧＢ（０＜ＧＢ≦１）（“１”、“０．５”、“０．３”、“１”、…）とが登録されている。
前記重要度割当部（２０）は、被写体認識部（２４）と、被写体重要度判定部（２５）とを具備している。
前記被写体認識部（２４）は、前記被写体登録データベース（４２）を参照して、前記画像データ列｛Ｄ（ｉ）｝が表す前記ｍ個の画像データ（Ｄ（１）〜Ｄ（ｍ））の中から、前記参照用被写体（ＰＡ、ＰＢ、ＰＣ、ＰＤ、…）に一致する前記被写体が撮影された前記画像を含む被写体画像データ群（Ｄ（１）〜Ｄ（５）、Ｄ（７）〜Ｄ（１０））を選択する。
前記被写体重要度判定部（２５）は、前記被写体登録データベース（４２）を参照して、前記画像データ列｛Ｄ（ｉ）｝が表す前記ｍ個の画像データ（Ｄ（１）〜Ｄ（ｍ））の中から、前記被写体画像データ群（Ｄ（１）〜Ｄ（５）、Ｄ（７）〜Ｄ（９）、Ｄ（１０））に対して前記被写体重要度ＧＢ（“１”、“０．５”、“０．３”、“１”、…）を割り当て、前記被写体画像データ群（Ｄ（１）〜Ｄ（５）、Ｄ（７）〜Ｄ（１０））以外の画像データに対して０を割り当てて、前記被写体重要度ＧＢを表す被写体重要度列｛ＧＢ（ｉ）｝を生成する。
前記重要度集計部（２８）は、前記被写体重要度列｛ＧＢ（ｉ）｝を前記重要度列｛Ｇ（ｉ）｝として前記アルバム作成部（３０）に出力する。
【００２０】
本発明の電子アルバム自動作成装置（１）によれば、被写体登録データベース（４２）には、参照用被写体（ＰＡ、ＰＢ、ＰＣ、ＰＤ、…）を表す被写体情報と、それに対する被写体重要度ＧＢ（“１”、“０．５”、“０．３”、“１”、…）とが、利用者によって登録される。このため、本発明の電子アルバム自動作成装置（１）によれば、利用者が単調なイメージを感じてしまうことなく、且つ、利用者の意図として被写体（ＰＡ、ＰＢ、ＰＣ、ＰＤ、…）を反映した電子アルバム（６０）を自動的に作成することができる。
【００２１】
本発明の第（Ｉ）、（ＩＩ）の観点による電子アルバム自動作成装置（１）において、前記ｍ個の画像データ（Ｄ（１）〜Ｄ（ｍ））の各々は、前記被写体を撮影したときの前記カメラの設定を表すカメラ情報を含んでいる。
前記データベース（４０）は、カメラ情報登録データベース（４３）を更に具備し、
前記カメラ情報登録データベース（４３）には、参照用カメラ情報（“ズーム”、“マニュアル設定”、セルフタイマー“、…）と、前記参照用カメラ情報（“ズーム”、“マニュアル設定”、セルフタイマー“、…）に対する重み付けを表す値としてカメラ情報重要度ＧＣ（０＜ＧＣ≦１）（“０．１”、“０．３”、“１”、…）とが登録されている。
前記重要度割当部（２０）は、カメラ情報認識部（２６）と、カメラ情報重要度判定部（２７）とを更に具備している。
前記カメラ情報認識部（２６）は、前記カメラ情報登録データベース（４３）を参照して、前記画像データ列｛Ｄ（ｉ）｝が表す前記ｍ個の画像データ（Ｄ（１）〜Ｄ（ｍ））の中から、前記参照用カメラ情報（“ズーム”、“マニュアル設定”、セルフタイマー“、…）に一致する前記カメラ情報を含むカメラ情報画像データ群（Ｄ（６）、Ｄ（７）〜Ｄ（９）、Ｄ（１０））を選択する。
前記カメラ情報重要度判定部（２７）は、前記カメラ情報登録データベース（４３）を参照して、前記画像データ列｛Ｄ（ｉ）｝が表す前記ｍ個の画像データ（Ｄ（１）〜Ｄ（ｍ））の中から、前記カメラ情報画像データ群（Ｄ（６）、Ｄ（７）〜Ｄ（９）、Ｄ（１０））に対して前記カメラ情報重要度ＧＣ（“０．１”、“０．３”、“１”、…）を割り当てて、前記カメラ情報画像データ群（Ｄ（６）、Ｄ（７）〜Ｄ（９）、Ｄ（１０））以外の画像データに対して０を割り当てて、前記カメラ情報重要度ＧＣを表すカメラ情報重要度列｛ＧＣ（ｉ）｝を生成する。
前記重要度集計部（２８）は、前記被写体重要度列｛ＧＢ（ｉ）｝と前記カメラ情報重要度列｛ＧＣ（ｉ）｝とを加算して前記重要度列｛Ｇ（ｉ）｝を生成し、前記アルバム作成部（３０）に出力する。
【００２２】
本発明の電子アルバム自動作成装置（１）によれば、カメラ情報登録データベース（４３）には、参照用カメラ情報（“ズーム”、“マニュアル設定”、セルフタイマー“、…）と、それに対するカメラ情報重要度ＧＣ（“０．１”、“０．３”、“１”、…）とが、利用者によって又は予め登録される。このため、本発明の電子アルバム自動作成装置（１）によれば、利用者が単調なイメージを感じてしまうことなく、且つ、利用者の意図としてカメラ情報（“ズーム”、“マニュアル設定”、セルフタイマー“、…）を反映した電子アルバム（６０）を自動的に作成することができる。
【００２３】
本発明の第（Ｉ）、（ＩＩ）の観点による電子アルバム自動作成装置（１）において、前記データベース（４０）は、集計用登録データベース（４４）を更に具備している。
前記集計用登録データベース（４４）には、前記被写体登録データベース（４２）、前記カメラ情報登録データベース（４３）に対する重み付けを表す値として、それぞれ、集計用被写体重要度ＧＢ’（０＜ＧＢ’≦１）（“０．５”）、集計用カメラ情報重要度ＧＣ’（０＜ＧＣ’≦１）（“０．３”）が登録されている。
前記重要度集計部（２８）は、前記集計用登録データベース（４４）を参照して、
【数１】
0004593506.tif 000002
により、前記重要度列｛Ｇ（ｉ）｝を生成し、前記アルバム作成部（３０）に出力する。
【００２４】
本発明の第（Ｉ）の観点による電子アルバム自動作成装置（１）において、前記データベース（４０）は、サイズ登録データベース（４５）を更に具備している。
前記サイズ登録データベース（４５）には、複数の重要度（Ａ、Ｂ、Ｃ）と、複数のサイズ（ＸＡ、ＹＡ）、（ＸＢ、ＹＢ）、（ＸＣ、ＹＣ）とが登録されている。
前記電子アルバム（６０）は、ページを表すＭ個の時間軸ページレイアウトデータ（６１）（Ｍは１以上の整数）を含んでいる。
前記Ｍ個の時間軸ページレイアウトデータ（６１）の各々は、前記表示領域を有している。
前記アルバム作成部（３０）は、表示サイズ判定部（３５）と、時間軸レイアウト制御部（３６）とを具備している。
前記表示サイズ判定部（３５）は、前記サイズ登録データベース（４５）を参照して、前記複数のサイズ（ＸＡ、ＹＡ）、（ＸＢ、ＹＢ）、（ＸＣ、ＹＣ）の中から、前記重要度列｛Ｇ（ｉ）｝が表す前記ｍ個の重要度（Ｇ（１）〜Ｇ（ｍ））に対応する前記表示サイズとしてｍ個の表示サイズ（（ＸＣ、ＹＣ）、（ＸＣ、ＹＣ）、（ＸＣ、ＹＣ）、（ＸＣ、ＹＣ）、（ＸＣ、ＹＣ）、（ＸＣ、ＹＣ）、（ＸＡ、ＹＡ）、（ＸＣ、ＹＣ）、（ＸＣ、ＹＣ）、（ＸＢ、ＹＢ）、（ＸＢ、ＹＢ）、（ＸＡ、ＹＡ）、（ＸＢ、ＹＢ）、（ＸＣ、ＹＣ）、（ＸＢ、ＹＢ）、（ＸＣ、ＹＣ）、（ＸＢ、ＹＢ）、（ＸＣ、ＹＣ）、（ＸＡ、ＹＡ）、（ＸＣ、ＹＣ）、（ＸＢ、ＹＢ）、…）を決定して、前記ｍ個の表示サイズを表す表示サイズ列｛Ｓ（ｉ）｝を生成する。
前記時間軸レイアウト制御部（３６）は、前記サイズ登録データベース（４５）を参照して、前記表示サイズ列｛Ｓ（ｉ）｝が表す前記ｍ個の表示サイズの合計値が前記Ｍ個の時間軸ページレイアウトデータ（６１）の前記表示領域のサイズの合計値に収まるように、前記ｍ個の表示サイズの各々を調整して、前記画像データ列｛Ｄ（ｉ）｝が表す前記ｍ個の画像データ（Ｄ（１）〜Ｄ（ｍ））を、前記Ｍ個の時間軸ページレイアウトデータ（６１）の前記表示領域に配置する。
【００２５】
本発明の電子アルバム自動作成装置（１）によれば、Ｍ個の時間軸ページレイアウトデータ（６１）の表示領域には、ｍ個の画像データ（Ｄ（１）〜Ｄ（ｍ））が時系列で貼り付けられる。ｍ個の画像データ（Ｄ（１）〜Ｄ（ｍ））を表示領域に表示するときの表示サイズは、上記の重要度（Ａ）、（Ｂ）、（Ｃ）に基づいて決定される。このため、本発明の電子アルバム自動作成装置（１）によれば、利用者の意図として被写体（ＰＡ、ＰＢ、ＰＣ、ＰＤ、…）やカメラ情報（“ズーム”、“マニュアル設定”、セルフタイマー“、…）を反映し、且つ、ｍ個の画像データ（Ｄ（１）〜Ｄ（ｍ））が時系列に並ぶ電子アルバム（６０）を自動的に作成することができる。
【００２６】
本発明の第（ＩＩ）の観点による電子アルバム自動作成装置（１）において、前記データベース（４０）は、サイズ登録データベース（４５）を更に具備している。
前記サイズ登録データベース（４５）には、複数の重要度（Ａ、Ｂ、Ｃ）と、複数のサイズ（ＸＡ、ＹＡ）、（ＸＢ、ＹＢ）、（ＸＣ、ＹＣ）とが登録されている。
前記複数の重要度（Ａ、Ｂ、Ｃ）は、高重要度Ａ（Ａ≧１．５）と、前記高重要度Ａより低い低重要度Ｃ（Ｃ＜０．５）と、前記高重要度Ａと前記低重要度Ｃとの間の中重要度Ｂ（０．５≦Ｂ＜１．５）とを含んでいる。
前記複数のサイズ（ＸＡ、ＹＡ）、（ＸＢ、ＹＢ）、（ＸＣ、ＹＣ）は、大サイズ（ＸＡ、ＹＡ）と、前記大サイズ（ＸＡ、ＹＡ）より小さい小サイズ（ＸＣ、ＹＣ）と、前記大サイズ（ＸＡ、ＹＡ）と前記小サイズ（ＸＣ、ＹＣ）との間の中サイズ（ＸＢ、ＹＢ）とを含んでいる。前記大サイズ（ＸＡ、ＹＡ）、前記中サイズ（ＸＢ、ＹＢ）、前記小サイズ（ＸＣ、ＹＣ）はそれぞれ前記高重要度Ａ、前記中重要度Ｂ、前記低重要度Ｃに対応する。
前記電子アルバム（６０）は、ページを表すＮ個の分割領域ページレイアウトデータ（６２）（Ｎは１以上の整数）を含んでいる。
前記Ｎ個の分割領域ページレイアウトデータ（６２）は、前記大サイズ（ＸＡ、ＹＡ）と前記中サイズ（ＸＢ、ＹＢ）と前記小サイズ（ＸＣ、ＹＣ）との少なくとも１つのサイズに対応する前記表示領域を有している。
前記アルバム作成部（３０）は、対応重要度判定部（３７）と、領域レイアウト制御部（３８）とを具備している。
前記対応重要度判定部（３７）は、前記サイズ登録データベース（４５）を参照して、前記重要度列｛Ｇ（ｉ）｝が表す前記ｍ個の重要度（Ｇ（１）〜Ｇ（ｍ））の中から、前記高重要度Ａ、前記中重要度Ｂ、前記低重要度Ｃに対応する対応高重要度群（Ｇ（７）、Ｇ（１２）、Ｇ（１９）、…）、対応中重要度群（Ｇ（１０）、Ｇ（１１）、Ｇ（１３）、Ｇ（１５）、Ｇ（１７）、Ｇ（２１）、…）、対応低重要度群（Ｇ（１）〜Ｇ（６）、Ｇ（８）、Ｇ（９）、Ｇ（１４）、Ｇ（１６）、Ｇ（１８）、Ｇ（２０）、…）を選択する。
前記領域レイアウト制御部（３８）は、前記サイズ登録データベース（４５）を参照して、前記画像データ列｛Ｄ（ｉ）｝が表す前記ｍ個の画像データ（Ｄ（１）〜Ｄ（ｍ））の合計値が前記Ｎ個の分割領域ページレイアウトデータ（６２）の前記表示領域のサイズの合計値に収まるように、前記ｍ個の画像データ（Ｄ（１）〜Ｄ（ｍ））のうちの、前記対応高重要度群、前記対応中重要度群、前記対応低重要度群に対応する画像データを、前記大サイズ（ＸＡ、ＹＡ）、前記中サイズ（ＸＢ、ＹＢ）、前記小サイズ（ＸＣ、ＹＣ）に調整して、前記Ｎ個の分割領域ページレイアウトデータ（６２）の前記表示領域に配置する。
【００２７】
本発明の電子アルバム自動作成装置（１）によれば、Ｎ個の分割領域ページレイアウトデータ（６２）の表示領域には、ｍ個の画像データ（Ｄ（１）〜Ｄ（ｍ））が時系列に関係なく貼り付けられる。ｍ個の画像データ（Ｄ（１）〜Ｄ（ｍ））を表示領域に表示するときの表示サイズと配置は、上記の重要度（Ａ）、（Ｂ）、（Ｃ）に基づいて決定される。このため、本発明の電子アルバム自動作成装置（１）によれば、利用者の意図として被写体（ＰＡ、ＰＢ、ＰＣ、ＰＤ、…）やカメラ情報（“ズーム”、“マニュアル設定”、セルフタイマー“、…）を反映し、且つ、ｍ個の画像データ（Ｄ（１）〜Ｄ（ｍ））が時系列に関係なく並ぶ電子アルバム（６０）を自動的に作成することができる。
【００２８】
本発明の第（ＩＩＩ）の観点による電子アルバム自動作成装置（１）において、前記ｍ個の画像データ（Ｄ（１）〜Ｄ（ｍ））の各々は、前記被写体をカメラにより撮影した時刻を表す時刻情報を更に含んでいる。
前記重要度割当部（２０）は、時間情報解析部（２１）と、画像類似比較部（２２）と、時間重要度判定部（２３）とを更に具備している。
前記時間情報解析部（２１）は、前記画像データ列｛Ｄ（ｉ）｝が表す前記ｍ個の画像データ（Ｄ（１）〜Ｄ（ｍ））の中から、前記時刻の間隔が等しい連写画像データ群（Ｄ（１）〜Ｄ（５））を選択する。
前記画像類似比較部（２２）は、前記画像データ列｛Ｄ（ｉ）｝が表す前記ｍ個の画像データ（Ｄ（１）〜Ｄ（ｍ））の中から、前記時刻の間隔が等しくなく、且つ、前記画像が類似する類似画像データ群（Ｄ（７）〜Ｄ（９））を選択する。
前記データベース（４０）は、時間登録データベース（４１）を更に具備している。
前記時間登録データベース（４１）には、時間重要度ＧＡが登録されている。前記時間重要度ＧＡは、前記連写画像データ群（Ｄ（１）〜Ｄ（５））に対する重み付けを表す記号として連写重要度Ｒと、前記類似画像データ群（Ｄ（７）〜Ｄ（９））のうちの第１類似画像データ（Ｄ（７））に対する重み付けを表す値として類似優先重要度１と、前記類似画像データ群（Ｄ（７）〜Ｄ（９））のうちの前記第１類似画像データ（Ｄ（７））以外の第２類似画像データ群（Ｄ（８）〜Ｄ（９））に対する重み付けを表す記号として類似予備重要度Ｙとを含んでいる。
前記時間重要度判定部（２３）は、前記時間登録データベース（４１）を参照して、前記画像データ列｛Ｄ（ｉ）｝が表す前記ｍ個の画像データ（Ｄ（１）〜Ｄ（ｍ））の中から、前記連写画像データ群（Ｄ（１）〜Ｄ（５））、前記第１類似画像データ（Ｄ（７））、前記第２類似画像データ群（Ｄ（８）〜Ｄ（９））に対して、それぞれ前記連写重要度Ｒ、前記類似優先重要度１、前記類似予備重要度Ｙを割り当て、前記連写画像データ群（Ｄ（１）〜Ｄ（５））及び前記類似画像データ群（Ｄ（７）〜Ｄ（９））以外の画像データに対して０を割り当てて、前記時間重要度ＧＡを表す時間重要度列｛ＧＡ（ｉ）｝を生成する。
前記重要度集計部（２８）は、前記時間重要度列｛ＧＡ（ｉ）｝と前記被写体重要度列｛ＧＢ（ｉ）｝とを加算して前記重要度列｛Ｇ（ｉ）｝を生成し、前記アルバム作成部（３０）に出力する。
【００２９】
本発明の電子アルバム自動作成装置（１）によれば、時間登録データベース（４１）には、上記の連写重要度Ｒ、類似優先重要度１、類似予備重要度Ｙが予め登録されている。上記の画像データは、カメラ（８）により写真を撮るときに生成される。利用者（あるいは他の利用者）は、そのカメラ（８）の連写機能により同じアングルから何枚も写真を撮る場合がある。この場合、上記の連写画像データ群（Ｄ（１）〜Ｄ（５））に含まれる時刻は、等間隔である。また、利用者（あるいは他の利用者）は、カメラ（８）の連写機能を用いていないが、写真を撮るときに失敗しないように、同じアングルから何枚も写真を撮る場合がある。この場合、上記の類似画像データ群（Ｄ（７）〜Ｄ（９））に含まれる時刻は、等間隔ではない。このように、本発明の電子アルバム自動作成装置（１）によれば、利用者が単調なイメージを感じてしまうことなく、且つ、利用者の意図として上記の時刻を反映した電子アルバム（６０）を自動的に作成することができる。
【００３０】
本発明の第（ＩＩＩ）の観点による電子アルバム自動作成装置（１）において、前記データベース（４０）は、集計用登録データベース（４４）を更に具備している。
前記集計用登録データベース（４４）には、前記時間登録データベース（４１）、前記被写体登録データベース（４２）に対する重み付けを表す値として、それぞれ、集計用時間重要度ＧＡ’（０＜ＧＡ’≦１）（“１”）、集計用被写体重要度ＧＢ’（０＜ＧＢ’≦１）（“０．５”）が登録されている。
前記重要度集計部（２８）は、前記集計用登録データベース（４４）を参照して、
【数２】
0004593506.tif 000003
により、前記重要度列｛Ｇ（ｉ）｝を生成し、前記アルバム作成部（３０）に出力する。
【００３１】
本発明の第（ＩＩＩ）の観点による電子アルバム自動作成装置（１）において、前記ｍ個の画像データ（Ｄ（１）〜Ｄ（ｍ））の各々は、前記被写体をカメラにより撮影した時刻を表す時刻情報を更に含んでいる。
前記重要度割当部（２０）は、時間情報解析部（２１）と、画像類似比較部（２２）と、時間重要度判定部（２３）とを更に具備している。
前記時間情報解析部（２１）は、前記画像データ列｛Ｄ（ｉ）｝が表す前記ｍ個の画像データ（Ｄ（１）〜Ｄ（ｍ））の中から、前記時刻の間隔が等しい連写画像データ群（Ｄ（１）〜Ｄ（５））を選択する。
前記画像類似比較部（２２）は、前記画像データ列｛Ｄ（ｉ）｝が表す前記ｍ個の画像データ（Ｄ（１）〜Ｄ（ｍ））の中から、前記時刻の間隔が等しくなく、且つ、前記画像が類似する類似画像データ群（Ｄ（７）〜Ｄ（９））を選択する。
前記データベース（４０）は、時間登録データベース（４１）を更に具備し、
前記時間登録データベース（４１）には、時間重要度ＧＡが登録されている。前記時間重要度ＧＡは、前記連写画像データ群（Ｄ（１）〜Ｄ（５））に対する重み付けを表す記号として連写重要度Ｒと、前記類似画像データ群（Ｄ（７）〜Ｄ（９））のうちの第１類似画像データ（Ｄ（７））に対する重み付けを表す値として類似優先重要度１と、前記類似画像データ群（Ｄ（７）〜Ｄ（９））のうちの前記第１類似画像データ（Ｄ（７））以外の第２類似画像データ群（Ｄ（８）〜Ｄ（９））に対する重み付けを表す記号として類似予備重要度Ｙとを含んでいる。
前記時間重要度判定部（２３）は、前記時間登録データベース（４１）を参照して、前記画像データ列｛Ｄ（ｉ）｝が表す前記ｍ個の画像データ（Ｄ（１）〜Ｄ（ｍ））の中から、前記連写画像データ群（Ｄ（１）〜Ｄ（５））、前記第１類似画像データ（Ｄ（７））、前記第２類似画像データ群（Ｄ（８）〜Ｄ（９））に対して、それぞれ前記連写重要度Ｒ、前記類似優先重要度１、前記類似予備重要度Ｙを割り当て、前記連写画像データ群（Ｄ（１）〜Ｄ（５））及び前記類似画像データ群（Ｄ（７）〜Ｄ（９））以外の画像データに対して０を割り当てて、前記時間重要度ＧＡを表す時間重要度列｛ＧＡ（ｉ）｝を生成する。
前記重要度集計部（２８）は、前記時間重要度列｛ＧＡ（ｉ）｝と前記被写体重要度列｛ＧＢ（ｉ）｝と前記カメラ情報重要度列｛ＧＣ（ｉ）｝とを加算して前記重要度列｛Ｇ（ｉ）｝を生成し、前記アルバム作成部（３０）に出力する。
【００３２】
本発明の電子アルバム自動作成装置（１）によれば、時間登録データベース（４１）には、上記の連写重要度Ｒ、類似優先重要度１、類似予備重要度Ｙが予め登録されている。上記の画像データは、カメラ（８）により写真を撮るときに生成される。利用者（あるいは他の利用者）は、そのカメラ（８）の連写機能により同じアングルから何枚も写真を撮る場合がある。この場合、上記の連写画像データ群（Ｄ（１）〜Ｄ（５））に含まれる時刻は、等間隔である。また、利用者（あるいは他の利用者）は、カメラ（８）の連写機能を用いていないが、写真を撮るときに失敗しないように、同じアングルから何枚も写真を撮る場合がある。この場合、上記の類似画像データ群（Ｄ（７）〜Ｄ（９））に含まれる時刻は、等間隔ではない。このように、本発明の電子アルバム自動作成装置（１）によれば、利用者が単調なイメージを感じてしまうことなく、且つ、利用者の意図として上記の時刻に関する情報（連写画像データ群（Ｄ（１）〜Ｄ（５））に含まれる時刻、類似画像データ群（Ｄ（７）〜Ｄ（９））に含まれる時刻）を反映した電子アルバム（６０）を自動的に作成することができる。
【００３３】
本発明の第（ＩＩＩ）の観点による電子アルバム自動作成装置（１）において、前記データベース（４０）は、集計用登録データベース（４４）を更に具備し、
前記集計用登録データベース（４４）には、前記時間登録データベース（４１）、前記被写体登録データベース（４２）、前記カメラ情報登録データベース（４３）に対する重み付けを表す値として、それぞれ、集計用時間重要度ＧＡ’（０＜ＧＡ’≦１）（“１”）、集計用被写体重要度ＧＢ’（０＜ＧＢ’≦１）（“０．５”）、集計用カメラ情報重要度ＧＣ’（０＜ＧＣ’≦１）（“０．３”）が登録されている。
前記重要度集計部（２８）は、前記集計用登録データベース（４４）を参照して、
【数３】
0004593506.tif 000004
により、前記重要度列｛Ｇ（ｉ）｝を生成し、前記アルバム作成部（３０）に出力する。
【００３４】
本発明の第（ＩＩＩ）の観点による電子アルバム自動作成装置（１）において、前記データベース（４０）は、サイズ登録データベース（４５）を更に具備している。
前記サイズ登録データベース（４５）には、複数の重要度（Ａ、Ｂ、Ｃ、Ｒ、Ｙ）と、複数のサイズ（ＸＡ、ＹＡ）、（ＸＢ、ＹＢ）、（ＸＣ、ＹＣ）、（ＸＲ、ＹＲ）、（ＸＹ、ＹＹ）とが登録されている。
前記複数の重要度（Ａ、Ｂ、Ｃ、Ｒ、Ｙ）は、高重要度Ａ（Ａ≧１．５）と、前記高重要度Ａより低い低重要度Ｃ（Ｃ＜０．５）と、前記高重要度Ａと前記低重要度Ｃとの間の中重要度Ｂ（０．５≦Ｂ＜１．５）と、前記連写重要度Ｒと、前記類似予備重要度Ｙとを含んでいる。
前記複数のサイズ（ＸＡ、ＹＡ）、（ＸＢ、ＹＢ）、（ＸＣ、ＹＣ）は、大サイズ（ＸＡ、ＹＡ）と、前記大サイズ（ＸＡ、ＹＡ）より小さい小サイズ（ＸＣ、ＹＣ）と、前記大サイズ（ＸＡ、ＹＡ）と前記小サイズ（ＸＣ、ＹＣ）との間の中サイズ（ＸＢ、ＹＢ）とを含んでいる。
前記大サイズ（ＸＡ、ＹＡ）、前記中サイズ（ＸＢ、ＹＢ）、前記小サイズ（ＸＣ、ＹＣ）はそれぞれ前記高重要度Ａ、前記中重要度Ｂ、前記低重要度Ｃに対応する。
前記電子アルバム（６０）は、ページを表すＮ個の分割領域ページレイアウトデータ（６２）（Ｎは１以上の整数）を含んでいる。
前記Ｎ個の分割領域ページレイアウトデータ（６２）は、前記大サイズ（ＸＡ、ＹＡ）と前記中サイズ（ＸＢ、ＹＢ）と前記小サイズ（ＸＣ、ＹＣ）との少なくとも１つのサイズに対応する前記表示領域を有している。
前記アルバム作成部（３０）は、対応重要度判定部（３７）と、領域レイアウト制御部（３８）とを具備している。
前記対応重要度判定部（３７）は、前記サイズ登録データベース（４５）を参照して、前記重要度列｛Ｇ（ｉ）｝が表す前記ｍ個の重要度（Ｇ（１）〜Ｇ（ｍ））の中から、前記連写重要度Ｒ、前記類似優先重要度及び前記類似予備重要度Ｙ以外の領域重要度群（Ｇ（６）、Ｇ（１０）〜Ｇ（ｍ））を選択する。前記対応重要度判定部（３７）は、前記サイズ登録データベース（４５）を参照して、前記領域重要度群（Ｇ（６）、Ｇ（１０）〜Ｇ（ｍ））の中から、前記高重要度Ａ、中重要度Ｂ、低重要度Ｃに対応する対応高重要度群（Ｇ（７）、Ｇ（１２）、Ｇ（１９）、…）、対応中重要度群（Ｇ（１０）、Ｇ（１１）、Ｇ（１３）、Ｇ（１５）、Ｇ（１７）、Ｇ（２１）、…）、対応低重要度群（Ｇ（１４）、Ｇ（１６）、Ｇ（１８）、Ｇ（２０）、…）を選択する。
前記領域レイアウト制御部（３８）は、前記サイズ登録データベース（４５）を参照して、前記画像データ列｛Ｄ（ｉ）｝が表す前記ｍ個の画像データ（Ｄ（１）〜Ｄ（ｍ））の中から、前記連写画像データ群（Ｄ（１）〜Ｄ（５））及び前記類似画像データ群（Ｄ（７）〜Ｄ（９））以外の領域画像データ群（Ｄ（６）、Ｄ（１０）〜Ｄ（ｍ））を選択する。前記領域レイアウト制御部（３８）は、前記サイズ登録データベース（４５）を参照して、前記領域画像データ群（Ｄ（６）、Ｄ（１０）〜Ｄ（ｍ））の合計値が前記Ｎ個の分割領域ページレイアウトデータ（６２）の前記表示領域のサイズの合計値に収まるように、前記領域画像データ群（Ｄ（６）、Ｄ（１０）〜Ｄ（ｍ））のうちの、前記対応高重要度群、前記対応中重要度群、前記対応低重要度群に対応する画像データ（Ｇ（７）、Ｇ（１２）、Ｇ（１９）、…）（Ｇ（１０）、Ｇ（１１）、Ｇ（１３）、Ｇ（１５）、Ｇ（１７）、Ｇ（２１）、…）（Ｇ（１４）、Ｇ（１６）、Ｇ（１８）、Ｇ（２０）、…）を、前記大サイズ（ＸＡ、ＹＡ）、前記中サイズ（ＸＢ、ＹＢ）、前記小サイズ（ＸＣ、ＹＣ）に調整して、前記Ｎ個の分割領域ページレイアウトデータ（６２）の前記表示領域に配置する。
【００３５】
＜請求項１２に対応する効果＞
本発明の電子アルバム自動作成装置（１）によれば、Ｎ個の分割領域ページレイアウトデータ（６２）の表示領域には、ｍ個の画像データ（Ｄ（１）〜Ｄ（ｍ））のうちの対応高重要度群、対応中重要度群、対応低重要度群に対応する画像データ（Ｇ（７）、Ｇ（１２）、Ｇ（１９）、…）（Ｇ（１０）、Ｇ（１１）、Ｇ（１３）、Ｇ（１５）、Ｇ（１７）、Ｇ（２１）、…）（Ｇ（１４）、Ｇ（１６）、Ｇ（１８）、Ｇ（２０）、…）が時系列に関係なく貼り付けられる。この画像データを表示領域に表示するときの表示サイズと配置は、上記の重要度（Ａ）、（Ｂ）、（Ｃ）に基づいて決定される。このため、本発明の電子アルバム自動作成装置（１）によれば、利用者の意図として被写体（ＰＡ、ＰＢ、ＰＣ、ＰＤ、…）やカメラ情報（“ズーム”、“マニュアル設定”、セルフタイマー“、…）を反映し、且つ、対応高重要度群、対応中重要度群、対応低重要度群に対応する画像データ（Ｇ（７）、Ｇ（１２）、Ｇ（１９）、…）（Ｇ（１０）、Ｇ（１１）、Ｇ（１３）、Ｇ（１５）、Ｇ（１７）、Ｇ（２１）、…）（Ｇ（１４）、Ｇ（１６）、Ｇ（１８）、Ｇ（２０）、…）が時系列に関係なく並ぶ電子アルバム（６０）を自動的に作成することができる。
【００３６】
本発明の第（ＩＩＩ）の観点による電子アルバム自動作成装置（１）において、前記複数のサイズ（ＸＡ、ＹＡ）、（ＸＢ、ＹＢ）、（ＸＣ、ＹＣ）、（ＸＲ、ＹＲ）、（ＸＹ、ＹＹ）は、前記小サイズ（ＸＣ、ＹＣ）より小さい連写サイズ（ＸＲ、ＹＲ）と、前記中サイズ（ＸＢ、ＹＢ）又は前記小サイズ（ＸＣ、ＹＣ）より小さい予備サイズ（ＸＹ、ＹＹ）とを更に含んでいる。
前記連写サイズ（ＸＲ、ＹＲ）、前記予備サイズ（ＸＹ、ＹＹ）はそれぞれ前記連写重要度Ｒ、前記類似予備重要度Ｙに対応する。
前記電子アルバム（６０）は、連写用時間軸ページレイアウトデータ（６１）と、類似用時間軸ページレイアウトデータ（６１）とを更に含んでいる。
前記連写用時間軸ページレイアウトデータ（６１）、前記類似用時間軸ページレイアウトデータ（６１）は、前記表示領域を有している。
前記アルバム作成部（３０）は、表示サイズ判定部（３５）と、時間軸レイアウト制御部（３６）とを更に具備している。
前記表示サイズ判定部（３５）は、前記サイズ登録データベース（４５）を参照して、前記重要度列｛Ｇ（ｉ）｝が表す前記ｍ個の重要度（Ｇ（１）〜Ｇ（ｍ））の中から、前記連写画像データ群（Ｄ（１）〜Ｄ（５））に対応する前記連写重要度Ｒを選択し、前記連写重要度Ｒに対応する前記表示サイズとして前記連写サイズ（ＸＲ、ＹＲ）を決定して、前記連写サイズ（ＸＲ、ＹＲ）を表す連写表示サイズ列を生成する。
前記時間軸レイアウト制御部（３６）は、前記サイズ登録データベース（４５）を参照して、前記連写表示サイズ列が表す前記連写サイズ（ＸＲ、ＹＲ）の合計値が前記連写用時間軸ページレイアウトデータ（６１）の前記表示領域のサイズに収まるように、前記連写表示サイズ列が表す前記連写サイズ（ＸＲ、ＹＲ）の各々を調整して、前記画像データ列｛Ｄ（ｉ）｝が表す前記連写画像データ群（Ｄ（１）〜Ｄ（５））を、前記連写用時間軸ページレイアウトデータ（６１）の前記表示領域に配置する。
前記表示サイズ判定部（３５）は、前記サイズ登録データベース（４５）を参照して、前記重要度列｛Ｇ（ｉ）｝が表す前記ｍ個の重要度（Ｇ（１）〜Ｇ（ｍ））の中から、前記第１類似画像データ（Ｄ（７））に対応する重要度（Ａとする）として類似優先重要度を選択し、前記類似優先重要度（Ａ）に対応する前記表示サイズとして前記類似優先サイズ（ＸＡ、ＹＡ）を決定する。前記表示サイズ判定部（３５）は、前記サイズ登録データベース（４５）を参照して、前記第２類似画像データ群（Ｄ（８）〜Ｄ（９））に対応する前記類似予備重要度Ｙを選択し、前記類似予備重要度Ｙに対応する前記表示サイズとして前記予備サイズ（ＸＹ、ＹＹ）を決定する。これにより、前記表示サイズ判定部（３５）は、前記類似優先サイズ（ＸＡ、ＹＡ）と前記予備サイズ（ＸＹ、ＹＹ）、（ＸＹ、ＹＹ）とを表す類似表示サイズ列を生成する。
前記時間軸レイアウト制御部（３６）は、前記サイズ登録データベース（４５）を参照して、前記類似表示サイズ列が表す前記類似優先サイズ（ＸＡ、ＹＡ）と前記予備サイズ（ＸＹ、ＹＹ）、（ＸＹ、ＹＹ）との合計値が前記類似用時間軸ページレイアウトデータ（６１）の前記表示領域のサイズに収まるように、前記類似表示サイズ列が表す前記予備サイズ（ＸＹ、ＹＹ）、（ＸＹ、ＹＹ）の各々を小さくし、前記画像データ列｛Ｄ（ｉ）｝が表す前記類似画像データ群（Ｄ（７）〜Ｄ（９））を、前記類似用時間軸ページレイアウトデータ（６１）の前記表示領域に配置する。
【００３７】
本発明の電子アルバム自動作成装置（１）によれば、連写用時間軸ページレイアウトデータ（６１）、類似用時間軸ページレイアウトデータ（６１）の表示領域には、それぞれ、連写画像データ群（Ｄ（１）〜Ｄ（５））、類似画像データ群（Ｄ（７）〜Ｄ（９））が時系列で貼り付けられる。連写画像データ群（Ｄ（１）〜Ｄ（５））を表示領域に表示するときの表示サイズは、上記の重要度（Ｒ）に基づいて決定される。類似画像データ群（Ｄ（７）〜Ｄ（９））の第１類似画像データ（Ｄ（７））と、第２類似画像データ群（Ｄ（８）〜Ｄ（９））とを表示領域に表示するときの表示サイズは、上記の重要度（Ａ）、（Ｂ）、（Ｃ）と、上記の重要度（Ｙ）とに基づいて決定される。このため、本発明の電子アルバム自動作成装置（１）によれば、利用者の意図として時刻に関する情報（連写画像データ群（Ｄ（１）〜Ｄ（５））に含まれる時刻、類似画像データ群（Ｄ（７）〜Ｄ（９））に含まれる時刻）を反映し、且つ、連写画像データ群（Ｄ（１）〜Ｄ（５））、類似画像データ群（Ｄ（７）〜Ｄ（９））が時系列に並ぶ電子アルバム（６０）を自動的に作成することができる。
【００３８】
本発明の第（Ｉ）〜（ＩＩＩ）の観点による電子アルバム自動作成装置（１）において、前記データベース（４０）は、背景登録データベース（４６）を更に具備している。
前記背景登録データベース（４６）には、複数の背景用重要度と、背景画面を表す複数の背景データとが登録されている。
前記アルバム作成部（３０）は、背景選択部（３１）を更に具備している。
前記背景選択部（３１）は、前記電子アルバム（６０）の前記ページの前記表示領域に配置される画像データに対応する重要度の合計値であるページ内重要度を算出する。前記背景選択部（３１）は、前記背景登録データベース（４６）を参照して、前記複数の背景用重要度のうちの前記ページ内重要度に対応する選択背景用重要度を選択し、前記複数の背景データのうちの前記選択背景用重要度に対応する選択背景データを選択し、前記選択背景データを前記ページに適用して、前記ページの前記表示領域以外の領域に配置する。
【００３９】
本発明の電子アルバム自動作成装置（１）によれば、背景登録データベース（４６）には、複数の背景用重要度と、それに対する複数の背景データとが、利用者によって又は予め登録される。このため、本発明の電子アルバム自動作成装置（１）によれば、利用者が単調なイメージを感じてしまうことなく、且つ、利用者の意図として背景データを反映した電子アルバム（６０）を自動的に作成することができる。例えば、第１背景用重要度に対する背景データとして、利用者がインターネットによりダウンロードした画像データを使用し、第１背景用重要度よりも低い第２背景用重要度に対する背景データとして、予め登録された背景データを使用することにより、毎回同じ背景データが適用されることはない。
【００４０】
本発明の第（Ｉ）〜（ＩＩＩ）の観点による電子アルバム自動作成装置（１）において、前記データベース（４０）は、ＢＧＭ登録データベース（４７）を更に具備している。
前記ＢＧＭ登録データベース（４７）には、複数のバックグラウンド・ミュージック（ＢＧＭ）用重要度と、ＢＧＭを表す複数のＢＧＭデータとが登録されている。
前記アルバム作成部（３０）は、ＢＧＭ選択部（３２）を更に具備している。
前記ＢＧＭ選択部（３２）は、前記電子アルバム（６０）の前記ページの前記表示領域に配置される画像データに対応する重要度の合計値であるページ内重要度を算出する。前記ＢＧＭ選択部（３２）は、前記ＢＧＭ登録データベース（４７）を参照して、前記複数の背景用重要度のうちの、前記ページ内重要度に対応する選択ＢＧＭ用重要度を選択し、前記複数のＢＧＭデータのうちの前記選択ＢＧＭ用重要度に対応する選択ＢＧＭデータを選択し、前記選択ＢＧＭデータを前記ページに適用する。
【００４１】
本発明の電子アルバム自動作成装置（１）によれば、ＢＧＭ登録データベース（４７）には、複数のＢＧＭ用重要度と、それに対する複数のＢＧＭデータとが、利用者によって又は予め登録される。このため、本発明の電子アルバム自動作成装置（１）によれば、利用者が単調なイメージを感じてしまうことなく、且つ、利用者の意図としてＢＧＭデータを反映した電子アルバム（６０）を自動的に作成することができる。例えば、第１ＢＧＭ用重要度に対するＢＧＭデータとして、利用者がインターネットによりダウンロードした音楽データを使用し、第１ＢＧＭ用重要度よりも低い第２ＢＧＭ用重要度に対するＢＧＭデータとして、予め登録されたＢＧＭデータを使用することにより、毎回同じＢＧＭデータが適用されることはない。
【００４２】
本発明の第（Ｉ）〜（ＩＩＩ）の観点による電子アルバム自動作成装置（１）において、前記データベース（４０）は、フレーム登録データベース（４８）を更に具備している。
前記フレーム登録データベース（４８）には、複数のフレーム用重要度と、フレームを表す複数のフレームデータとが登録されている。
前記アルバム作成部（３０）は、フレーム選択部（３３）を更に具備している。
前記フレーム選択部（３３）は、前記フレーム登録データベース（４８）を参照して、前記複数のフレーム用重要度のうちの、前記電子アルバム（６０）の前記ページの前記表示領域に配置される画像データに対応する選択フレーム用重要度を選択する。前記フレーム選択部（３３）は、前記フレーム登録データベース（４８）を参照して、前記複数のフレームデータのうちの前記選択フレーム用重要度に対応する選択フレームデータを選択する。前記フレーム選択部（３３）は、前記選択フレームデータを、前記ページの前記表示領域に配置される画像データのフレームとして適用する。
【００４３】
本発明の電子アルバム自動作成装置（１）によれば、フレーム登録データベース（４８）には、複数のフレーム用重要度と、それに対する複数のフレームデータとが、利用者によって又は予め登録される。このため、本発明の電子アルバム自動作成装置（１）によれば、利用者が単調なイメージを感じてしまうことなく、且つ、利用者の意図としてフレームデータを反映した電子アルバム（６０）を自動的に作成することができる。これにより、毎回同じフレームデータが適用されることはない。例えば、連写画像データ群（Ｄ（１）〜Ｄ（５））がカメラ（８）の連写機能により等間隔で撮られたことが分かるように、その連写画像データ群に適用されるフレームデータとしては、フィルムロールのようなフレームであることが好ましい。また、類似画像データ群（Ｄ（７）〜Ｄ（９））が同じアングルから撮られたことが分かるように、第１類似画像データ（Ｄ（７））には、代表写真とするフレームが適用され、第２類似画像データ群（Ｄ（８）〜Ｄ（９））には、代表写真とセットであることを示すフレームが適用されることが好ましい。
【００４４】
本発明の第（Ｉ）〜（ＩＩＩ）の観点による電子アルバム自動作成装置（１）において、前記データベース（４０）は、クリップアート登録データベース（４９）を更に具備している。
前記クリップアート登録データベース（４９）には、複数のクリップアート用重要度と、クリップアートを表す複数のクリップアートデータとが登録されている。
前記アルバム作成部（３０）は、クリップアート選択部（３４）を更に具備している。
前記クリップアート選択部（３４）は、前記クリップアート登録データベース（４９）を参照して、前記複数のクリップアート用重要度のうちの、前記電子アルバム（６０）の前記ページの前記表示領域に配置される画像データに対応する選択クリップアート用重要度を選択する。前記クリップアート選択部（３４）は、前記クリップアート登録データベース（４９）を参照して、前記複数のクリップアートデータのうちの前記選択クリップアート用重要度に対応する選択クリップアートデータを選択する。前記クリップアート選択部（３４）は、前記選択クリップアートデータを前記ページに適用する。
【００４５】
本発明の電子アルバム自動作成装置（１）によれば、クリップアート登録データベース（４９）には、複数のクリップアート用重要度と、それに対する複数のクリップアートデータとが、利用者によって又は予め登録される。このため、本発明の電子アルバム自動作成装置（１）によれば、利用者が単調なイメージを感じてしまうことなく、且つ、利用者の意図としてクリップアートデータを反映した電子アルバム（６０）を自動的に作成することができる。例えば、第１クリップアート用重要度に対するクリップアートデータとして、利用者がインターネットによりダウンロードしたアニメーション（あるいは動画像）を使用し、第１クリップアート用重要度よりも低い第２クリップアート用重要度に対するクリップアートデータとして、予め登録されたクリップアートデータを使用することにより、毎回同じクリップアートデータが適用されることはない。
【００４６】
本発明の電子アルバム自動作成方法は、上記の電子アルバム自動作成装置（１）であるコンピュータを用いる。そのコンピュータには、上記のコンピュータプログラム（５）が備えられている。この場合、本発明の電子アルバム自動作成方法は、上記のコンピュータプログラム（５）により実現される。
【発明の効果】
【００４７】
本発明によれば、予め用意されたテンプレートに複数の画像データを貼り付けるのではなく、複数の画像データに対する複数の重要度により電子アルバムを生成する。このため、利用者が単調なイメージを感じてしまうことなく、且つ、利用者の意図を反映した電子アルバムを自動的に作成することができる。
【発明を実施するための最良の形態】
【００４８】
以下に添付図面を参照して、本発明の電子アルバム自動作成装置について詳細に説明する。
【００４９】
図４は、本発明の電子アルバム自動作成装置１の構成を示している。電子アルバム自動作成装置１は、コンピュータであり、制御装置２と、記憶装置４とを具備している。制御装置２は、表示装置７と接続されている。この制御装置２は、ＣＰＵ（Ｃｅｎｔｒａｌ  Ｐｒｏｃｅｓｓｉｎｇ  Ｕｎｉｔ）３を具備している。
記憶装置４には、ＣＰＵ３が実行するためのコンピュータプログラム５と、データベース６とが格納されている。コンピュータプログラム５は、画像データ取込部１０、重要度割当部２０、アルバム作成部３０を含んでいる。データベース６は、登録済データベース４０と、記録用データベース５０とを含んでいる。
【００５０】
デジタルカメラ８（以下、カメラ８）により１番目から最終番目までの複数の画像データが生成される。この複数の画像データの各々は、被写体が撮影された画像と、被写体をカメラ８により撮影した時刻を表す時刻情報と、被写体を撮影したときのカメラ８の設定を表すカメラ設定情報とを含んでいる。カメラ設定情報としては、“ズーム”、“マニュアル設定”、“セルフタイマー”、…が挙げられる。
カメラ８が制御装置２に接続される。このとき、画像データ取込部１０は、複数の画像データを取り込む。登録済データベース４０には、画像に対する重み付けを表す値として重要度が登録されている。重要度割当部２０は、登録済データベース４０を参照して、複数の画像データのそれぞれに対する重要度として複数の重要度を割り当てて、記録用データベース５０に登録する。アルバム作成部３０は、記録用データベース５０に登録された複数の重要度に基づいて、複数の画像データを表示装置７に表示するための電子アルバム６０を生成する。アルバム作成部３０は、この電子アルバム６０を記憶装置４に格納する。このとき、アルバム作成部３０は、利用者の操作により、電子アルバム６０を記憶装置４に上書き又は新規に格納する。
【００５１】
本発明の電子アルバム自動作成装置１によれば、予め用意されたテンプレートに複数の画像データを貼り付けるのではなく、複数の画像データに対する複数の重要度により電子アルバム６０を生成する。このため、本発明の電子アルバム自動作成装置１によれば、利用者が単調なイメージを感じてしまうことなく、且つ、利用者の意図を反映した電子アルバム６０を自動的に作成することができる。
【００５２】
図５は、重要度割当部２０を示している。重要度割当部２０は、時間情報解析部２１、画像類似比較部２２、時間重要度判定部２３、被写体認識部２４、被写体重要度判定部２５、カメラ情報認識部２６、カメラ情報重要度判定部２７、重要度集計部２８を含んでいる。これらの動作については後述する。
【００５３】
図６は、アルバム作成部３０を示している。アルバム作成部３０は、背景選択部３１、バックグラウンド・ミュージック（ＢＧＭ）選択部３２、フレーム選択部３３、クリップアート選択部３４、表示サイズ判定部３５、時間軸レイアウト制御部３６、対応重要度判定部３７、領域レイアウト制御部３８を含んでいる。これらの動作については後述する。
【００５４】
図７は、登録済データベース４０を示している。登録済データベース４０は、時間登録データベース４１、被写体登録データベース４２、カメラ情報登録データベース４３、集計用登録データベース４４、サイズ登録データベース４５、背景登録データベース４６、ＢＧＭ登録データベース４７、フレーム登録データベース４８、クリップアート登録データベース４９を含んでいる。これらに格納されているデータについては後述する。
【００５５】
図８は、記録用データベース５０を示している。記録用データベース５０は、時間重要度記録データベース５１、被写体重要度記録データベース５２、カメラ重要度記録データベース５３を含んでいる。これらに格納されるデータについては後述する。
【００５６】
図９は、登録済データベース４０内の時間登録データベース４１を示している。時間登録データベース４１には、時間重要度ＧＡが登録されている。時間重要度ＧＡは、後述の連写画像データ群に対する重み付けを表す記号として連写重要度Ｒを含んでいる。時間重要度ＧＡは、後述の類似画像データ群のうちの第１類似画像データに対する重み付けを表す値として類似優先重要度１と、後述の類似画像データ群のうちの第１類似画像データ以外の第２類似画像データ群に対する重み付けを表す記号として類似予備重要度Ｙとを含んでいる。
【００５７】
図１０は、登録済データベース４０内の被写体登録データベース４２を示している。被写体登録データベース４２には、参照用被写体ＰＡ、ＰＢ、ＰＣ、ＰＤ、…を表す被写体情報が、利用者によって登録されている。この被写体情報としては、人物ＰＡ、ＰＢ、ＰＣ、ＰＤ、…の顔写真を表している。被写体登録データベース４２には、参照用被写体ＰＡ、ＰＢ、ＰＣ、ＰＤ、…を表す情報に対する重み付けを表す値として被写体重要度ＧＢ（０＜ＧＢ≦１）が更に登録されている。例えば、参照用被写体ＰＡ、ＰＢ、ＰＣ、ＰＤ、…を表す被写体情報に対して、それぞれ被写体重要度ＧＢ“１”、“０．５”、“０．３”、“１”、…が登録されている。
【００５８】
図１１は、登録済データベース４０内のカメラ情報登録データベース４３を示している。カメラ情報登録データベース４３には、参照用カメラ情報が、利用者によって又は予め登録されている。参照用カメラ情報ＣＡ、ＣＢ、ＣＣ、…としては、それぞれ“ズーム”、“マニュアル設定”、“セルフタイマー”、…が挙げられる。カメラ情報登録データベース４３には、参照用カメラ情報“ズーム”、“マニュアル設定”、“セルフタイマー”、…に対する重み付けを表す値としてカメラ情報重要度ＧＣ（０＜ＧＣ≦１）が更に登録されている。例えば、参照用カメラ情報“ズーム”、“マニュアル設定”、“セルフタイマー”、…に対して、それぞれカメラ情報重要度ＧＣ“０．１”、“０．３”、“１”、…が登録されている。
【００５９】
図１２は、登録済データベース４０内の集計用登録データベース４４を示している。集計用登録データベース４４には、時間登録データベース４１、被写体登録データベース４２、カメラ情報登録データベース４３に対する重み付けを表す値として、それぞれ、集計用時間重要度ＧＡ’（０＜ＧＡ’≦１）、集計用被写体重要度ＧＢ’（０＜ＧＢ’≦１）、集計用カメラ情報重要度ＧＣ’（０＜ＧＣ’≦１）が、利用者によって又は予め登録されている。例えば、時間登録データベース４１、被写体登録データベース４２、カメラ情報登録データベース４３に対して、それぞれ集計用時間重要度ＧＡ’“１”、集計用被写体重要度ＧＢ’“０．５”、集計用カメラ情報重要度ＧＣ’“０．３”が登録されている。
【００６０】
図１３は、登録済データベース４０内のサイズ登録データベース４５を示している。サイズ登録データベース４５には、複数の重要度と、複数のサイズとが、利用者によって又は予め登録されている。
複数の重要度は、高重要度Ａ（Ａ≧１．５）と、高重要度Ａより低い低重要度Ｃ（Ｃ＜０．５）と、高重要度Ａと低重要度Ｃとの間の中重要度Ｂ（０．５≦Ｂ＜１．５）と、上記の連写重要度Ｒと、上記の類似予備重要度Ｙとを含んでいる。
横、縦の長さ（サイズ）をそれぞれＸ、Ｙ（ｍｍ）としたとき、複数のサイズは、大サイズ（ＸＡ、ＹＡ）と、大サイズ（ＸＡ、ＹＡ）より小さい小サイズ（ＸＣ、ＹＣ）と、大サイズ（ＸＡ、ＹＡ）と小サイズ（ＸＣ、ＹＣ）との間の中サイズ（ＸＢ、ＹＢ）とを含んでいる。複数のサイズは、小サイズ（ＸＣ、ＹＣ）より小さい連写サイズ（ＸＲ、ＹＲ）と、中サイズ（ＸＢ、ＹＢ）又は小サイズ（ＸＣ、ＹＣ）より小さい予備サイズ（ＸＹ、ＹＹ）とを更に含んでいる。
大サイズ（ＸＡ、ＹＡ）、中サイズ（ＸＢ、ＹＢ）、小サイズ（ＸＣ、ＹＣ）、連写サイズ（ＸＲ、ＹＲ）、予備サイズ（ＸＹ、ＹＹ）は、それぞれ高重要度Ａ、中重要度Ｂ、低重要度Ｃ、連写重要度Ｒ、類似予備重要度Ｙに対応して登録されている。
【００６１】
図１４は、登録済データベース４０内の背景登録データベース４６を示している。背景登録データベース４６には、複数の背景用重要度と、背景画面を表す複数の背景データとが、利用者によって又は予め登録されている。
【００６２】
図１５は、登録済データベース４０内のＢＧＭ登録データベース４７を示している。ＢＧＭ登録データベース４７には、複数のＢＧＭ用重要度と、ＢＧＭを表す複数のＢＧＭデータとが、利用者によって又は予め登録されている。
【００６３】
図１６は、登録済データベース４０内のフレーム登録データベース４８を示している。フレーム登録データベース４８には、複数のフレーム用重要度と、フレームを表す複数のフレームデータとが、利用者によって又は予め登録されている。
【００６４】
図１７は、登録済データベース４０内のクリップアート登録データベース４９を示している。クリップアート登録データベース４９には、複数のクリップアート用重要度と、クリップアートを表す複数のクリップアートデータとが、利用者によって又は予め登録されている。
【００６５】
図１８は、記録用データベース５０内の時間重要度記録データベース５１を示している。時間重要度記録データベース５１には、複数の画像データに対する後述の時間重要度ＧＡとが登録される。
【００６６】
図１９は、記録用データベース５０内の被写体重要度記録データベース５２を示している。被写体重要度記録データベース５２には、複数の画像データに対する後述の被写体重要度ＧＢとが登録される。
【００６７】
図２０は、記録用データベース５０内のカメラ重要度記録データベース５３を示している。カメラ重要度記録データベース５３には、複数の画像データに対する後述のカメラ情報重要度ＧＣとが登録される。
【００６８】
記憶装置４には、電子アルバム６０のページを表すフォーマットが格納されている。そのフォーマットは、Ｍ個（Ｍは１以上の整数）の時間軸ページレイアウトデータ６１と、Ｎ個（Ｎは１以上の整数）の分割領域ページレイアウトデータ６２とを含んでいる。
【００６９】
図２１に示されるように、Ｍ個の時間軸ページレイアウトデータ６１の各々は、表示領域を有している。Ｍ個の時間軸ページレイアウトデータ６１の表示領域には、複数の画像データが時系列で貼り付けられる。複数の画像データを表示領域に表示するときの表示サイズは、上記の重要度Ａ、Ｂ、Ｃ、Ｒ、Ｙに基づいて決定される。この時間軸ページレイアウトデータ６１の詳細については、後述の時間軸レイアウト処理にて説明する。
【００７０】
図２２に示されるように、Ｎ個の分割領域ページレイアウトデータ６２は、上記の大サイズ（ＸＡ、ＹＡ）と上記の中サイズ（ＸＢ、ＹＢ）と上記の小サイズ（ＸＣ、ＹＣ）との少なくとも１つのサイズに対応する表示領域を有している。Ｎ個の分割領域ページレイアウトデータ６２の表示領域には、複数の画像データが時系列に関係なく貼り付けられる。複数の画像データを表示領域に表示するときの表示サイズと配置は、上記の重要度Ａ、Ｂ、Ｃに基づいて決定される。この分割領域ページレイアウトデータ６２の詳細については、後述の分割領域レイアウト処理にて説明する。
【００７１】
図２３は、電子アルバム自動作成装置１の機能ロジックを表している。図２４は、電子アルバム自動作成装置１の動作を示すフローチャートである。図２３、図２４を用いて、電子アルバム自動作成装置１の動作について説明する。
【００７２】
カメラ８が制御装置２に接続される。このとき、画像データ取込部１０は、上記の複数の画像データとしてｍ個の画像データ（ｍは２以上の整数）を表す画像データ列｛Ｄ（ｉ）｜Ｄ（ｉ）＝Ｄ（１）、Ｄ（２）、Ｄ（３）、…、Ｄ（ｍ）｝を取り込んで、重要度割当部２０とアルバム作成部３０とに出力する（ステップＳ１；画像データ取込処理）。
重要度割当部２０は、その画像データ列｛Ｄ（ｉ）｝に対して、複数の重要度としてｍ個の重要度を表す重要度列｛Ｇ（ｉ）｝を生成し、アルバム作成部３０に出力する（ステップＳ２；重要度割当処理）。
アルバム作成部３０は、重要度列｛Ｇ（ｉ）｝が表すｍ個の重要度Ｇ（１）〜Ｇ（ｍ）に基づいて、画像データ列｛Ｄ（ｉ）｝が表すｍ個の画像データＤ（１）〜Ｄ（ｍ）を電子アルバム６０の表示領域に表示するときの表示サイズと配置とを決定する（ステップＳ３；アルバム作成処理）。
【００７３】
本発明の電子アルバム自動作成装置１によれば、予め用意されたテンプレートに複数の画像データを貼り付けるのではなく、複数の画像データに対する複数の重要度により、電子アルバム６０の表示領域に表示するときの表示サイズと配置とを決定する。このため、本発明の電子アルバム自動作成装置１によれば、利用者が単調なイメージを感じてしまうことなく、且つ、利用者の意図を反映した電子アルバム６０を自動的に作成することができる。
【００７４】
ここで、記憶装置４には、時間軸又は分割領域を表すフラグが、利用者によって予め格納されている。そこで、電子アルバム自動作成装置１の動作として、例えば、以下の（Ｉ）、（ＩＩ）、（ＩＩＩ）が挙げられる。
（Ｉ）  重要度割当処理（ステップＳ２）が実行された結果、画像データ列｛Ｄ（ｉ）｝に対する後述の時間重要度ＧＡが全て０であり（ステップＳ１１−ＹＥＳ）、時間軸を表すフラグが記憶装置４に予め格納されている場合（ステップＳ１２−ＹＥＳ）、アルバム作成処理（ステップＳ３）では、アルバム作成部３０は、後述の時間軸レイアウト処理を実行する（ステップＳ１３）。
（ＩＩ）  重要度割当処理（ステップＳ２）が実行された結果、画像データ列｛Ｄ（ｉ）｝に対する後述の時間重要度ＧＡが全て０であり（ステップＳ１１−ＹＥＳ）、分割領域を表すフラグが記憶装置４に予め格納されている場合（ステップＳ１２−ＮＯ）、アルバム作成処理（ステップＳ３）では、アルバム作成部３０は、後述の分割領域レイアウト処理を実行する（ステップＳ１４）。
（ＩＩＩ）  重要度割当処理（ステップＳ３）が実行された結果、画像データ列｛Ｄ（ｉ）｝に対する後述の時間重要度ＧＡが全て０ではない場合（ステップＳ１１−ＮＯ）、アルバム作成処理（ステップＳ３）では、アルバム作成部３０は、時間軸レイアウト処理（ステップＳ１３）と分割領域レイアウト処理（ステップＳ１４）との両方を含む後述の時間軸・分割領域レイアウト処理を実行する（ステップＳ１５）。
【００７５】
まず、（Ｉ）の場合について説明する。
【００７６】
重要度割当処理（ステップＳ２）において、重要度割当部２０の時間情報解析部２１は、画像データ列｛Ｄ（ｉ）｝が表すｍ個の画像データＤ（１）〜Ｄ（ｍ）の中から、時刻の間隔が等しい連写画像データ群が存在するか否かを調べる。（Ｉ）では、存在しないものとする。
画像類似比較部２２は、画像データ列｛Ｄ（ｉ）｝が表すｍ個の画像データＤ（１）〜Ｄ（ｍ）の中から、時刻の間隔が等しくなく、且つ、画像が類似する類似画像データ群が存在するか否かを調べる。（Ｉ）では、存在しないものとする。
その結果、時間重要度判定部２３は、時間登録データベース４１を参照して、画像データ列｛Ｄ（ｉ）｝が表すｍ個の画像データＤ（１）〜Ｄ（ｍ）に対して０を割り当てる。これにより、時間重要度判定部２３は、画像データ列｛Ｄ（ｉ）｝に対して、時間重要度ＧＡを表す時間重要度列｛ＧＡ（ｉ）｝を生成し、時間重要度記録データベース５１に登録する。
【００７７】
重要度割当処理（ステップＳ２）において、重要度割当部２０の被写体認識部２４は、被写体登録データベース４２を参照して、画像データ列｛Ｄ（ｉ）｝が表すｍ個の画像データＤ（１）〜Ｄ（ｍ）の中から、参照用被写体ＰＡ、ＰＢ、ＰＣ、ＰＤに一致する被写体が撮影された画像を含む被写体画像データ群Ｄ（１）〜Ｄ（５）、Ｄ（７）〜Ｄ（１０）を選択する。被写体認識部２４が行なう被写体（顔）の照合としては、特許文献３、４に記載された技術が用いられる。
被写体重要度判定部２５は、被写体登録データベース４２を参照して、画像データ列｛Ｄ（ｉ）｝が表すｍ個の画像データＤ（１）〜Ｄ（ｍ）の中から、被写体画像データ群Ｄ（１）〜Ｄ（５）、Ｄ（７）〜Ｄ（９）、Ｄ（１０）に対してそれぞれ被写体重要度ＧＢ“１”、“０．５”、“０．３”、“１”を割り当てる。また、被写体画像データ群Ｄ（１）〜Ｄ（５）、Ｄ（７）〜Ｄ（１０）以外の画像データに対して０を割り当てる。これにより、被写体重要度判定部２５は、画像データ列｛Ｄ（ｉ）｝に対して、被写体重要度ＧＢを表す被写体重要度列｛ＧＢ（ｉ）｝を生成し、被写体重要度記録データベース５２に登録する。
【００７８】
本発明の電子アルバム自動作成装置１によれば、被写体登録データベース４２には、参照用被写体ＰＡ、ＰＢ、ＰＣ、ＰＤ、…を表す被写体情報と、それに対する被写体重要度ＧＢ“１”、“０．５”、“０．３”、“１”、…とが、利用者によって登録される。このため、本発明の電子アルバム自動作成装置１によれば、利用者が単調なイメージを感じてしまうことなく、且つ、利用者の意図として被写体ＰＡ、ＰＢ、ＰＣ、ＰＤ、…を反映した電子アルバム６０を自動的に作成することができる。
【００７９】
重要度割当処理（ステップＳ２）において、重要度割当部２０のカメラ情報認識部２６は、カメラ情報登録データベース４３を参照して、画像データ列｛Ｄ（ｉ）｝が表すｍ個の画像データＤ（１）〜Ｄ（ｍ）の中から、参照用カメラ情報“ズーム”、“マニュアル設定”、セルフタイマー“に一致するカメラ情報を含むカメラ情報画像データ群Ｄ（６）、Ｄ（７）〜Ｄ（９）、Ｄ（１０）を選択する。
カメラ情報重要度判定部２７は、カメラ情報登録データベース４３を参照して、画像データ列｛Ｄ（ｉ）｝が表すｍ個の画像データＤ（１）〜Ｄ（ｍ）の中から、カメラ情報画像データ群Ｄ（６）、Ｄ（７）〜Ｄ（９）、Ｄ（１０）に対してそれぞれカメラ情報重要度ＧＣ“０．１”、“０．３”、“１”を割り当てる。また、カメラ情報画像データ群Ｄ（６）、Ｄ（７）〜Ｄ（９）、Ｄ（１０）以外の画像データに対して０を割り当てる。これにより、カメラ情報重要度判定部２７は、画像データ列｛Ｄ（ｉ）｝に対して、カメラ情報重要度ＧＣを表すカメラ情報重要度列｛ＧＣ（ｉ）｝を生成し、カメラ重要度記録データベース５３に登録する。
【００８０】
本発明の電子アルバム自動作成装置１によれば、カメラ情報登録データベース４３には、参照用カメラ情報“ズーム”、“マニュアル設定”、セルフタイマー“、…と、それに対するカメラ情報重要度ＧＣ“０．１”、“０．３”、“１”、…とが、利用者によって又は予め登録される。このため、本発明の電子アルバム自動作成装置１によれば、利用者が単調なイメージを感じてしまうことなく、且つ、利用者の意図としてカメラ情報“ズーム”、“マニュアル設定”、セルフタイマー“、…を反映した電子アルバム６０を自動的に作成することができる。
【００８１】
重要度割当処理（ステップＳ２）において、重要度集計部２８は、時間重要度記録データベース５１と被写体重要度記録データベース５２とカメラ重要度記録データベース５３とを参照して、時間重要度列｛ＧＡ（ｉ）｝と被写体重要度列｛ＧＢ（ｉ）｝とカメラ情報重要度列｛ＧＣ（ｉ）｝とを加算して重要度列｛Ｇ（ｉ）｝を生成する。そのとき、重要度集計部２８は、集計用登録データベース４４を更に参照して、
【数４】
0004593506.tif 000005
により、図２５に示されるような重要度列｛Ｇ（ｉ）｝を生成し、アルバム作成部３０に出力する。
【００８２】
ここで、時間重要度列｛ＧＡ（ｉ）｝が表す時間重要度ＧＡが全て０である場合、上記の数４は、
【数５】
0004593506.tif 000006
により表される。
【００８３】
時間軸レイアウト処理（ステップＳ１３）において、アルバム作成部３０の表示サイズ判定部３５は、画像データ取込部１０からの画像データ列｛Ｄ（ｉ）｝と、重要度割当部２０からの重要度列｛Ｇ（ｉ）｝とを受け取る。このとき、表示サイズ判定部３５は、記憶装置４から、Ｍ個の時間軸ページレイアウトデータ６１を読み出す。
ここで、図２５に示される重要度Ｇ（７）、Ｇ（１２）、Ｇ（１９）、…、重要度Ｇ（１０）、Ｇ（１１）、Ｇ（１３）、Ｇ（１５）、Ｇ（１７）、Ｇ（２１）、…、重要度Ｇ（１）〜Ｇ（６）、Ｇ（８）、Ｇ（９）、Ｇ（１４）、Ｇ（１６）、Ｇ（１８）、Ｇ（２０）、…を、それぞれ、高重要度Ａ、中重要度Ｂ、低重要度Ｃとする。この場合、表示サイズ判定部３５は、サイズ登録データベース４５を参照して、複数のサイズ（ＸＡ、ＹＡ）、（ＸＢ、ＹＢ）、（ＸＣ、ＹＣ）の中から、重要度列｛Ｇ（ｉ）｝が表すｍ個の重要度Ｇ（１）〜Ｇ（ｍ）に対応する表示サイズとしてｍ個の表示サイズ（ＸＣ、ＹＣ）、（ＸＣ、ＹＣ）、（ＸＣ、ＹＣ）、（ＸＣ、ＹＣ）、（ＸＣ、ＹＣ）、（ＸＣ、ＹＣ）、（ＸＡ、ＹＡ）、（ＸＣ、ＹＣ）、（ＸＣ、ＹＣ）、（ＸＢ、ＹＢ）、（ＸＢ、ＹＢ）、（ＸＡ、ＹＡ）、（ＸＢ、ＹＢ）、（ＸＣ、ＹＣ）、（ＸＢ、ＹＢ）、（ＸＣ、ＹＣ）、（ＸＢ、ＹＢ）、（ＸＣ、ＹＣ）、（ＸＡ、ＹＡ）、（ＸＣ、ＹＣ）、（ＸＢ、ＹＢ）、…を決定して、そのｍ個の表示サイズを表す表示サイズ列｛Ｓ（ｉ）｝を生成する。
時間軸レイアウト制御部３６は、サイズ登録データベース４５を参照して、表示サイズ列｛Ｓ（ｉ）｝が表す上記のｍ個の表示サイズの合計値がＭ個の時間軸ページレイアウトデータ６１の表示領域のサイズの合計値に収まるように、上記のｍ個の表示サイズの各々を調整して、画像データ列｛Ｄ（ｉ）｝が表すｍ個の画像データＤ（１）〜Ｄ（ｍ）を、Ｍ個の時間軸ページレイアウトデータ６１の表示領域に配置する。
【００８４】
Ｍ個の時間軸ページレイアウトデータ６１の表示領域には、ｍ個の画像データＤ（１）〜Ｄ（ｍ）が時系列で配置される。例えば、Ｍ個の時間軸ページレイアウトデータ６１のうちの、１ページを表す第１時間軸ページレイアウトデータ６１には、画像データＤ（１）〜Ｄ（６）が時系列で配置される。２ページを表す第２時間軸ページレイアウトデータ６１には、画像データＤ（７）〜Ｄ（１１）が時系列で配置される。３ページを表す第３時間軸ページレイアウトデータ６１には、画像データＤ（１２）〜Ｄ（１６）が時系列で配置される。最終ページであるｍページを表す第Ｍ時間軸ページレイアウトデータ６１には、画像データＤ（ｍ−１）〜Ｄ（ｍ）が時系列で配置されるものとする。
【００８５】
ここで、Ｍ個の時間軸ページレイアウトデータ６１と、その表示領域へのｍ個の画像データＤ（１）〜Ｄ（ｍ）の配置として時間軸配置処理について詳細に説明する。
上記の時間軸配置処理について、例えば、第３時間軸ページレイアウトデータ６１（３ページ）を用いて説明する。図２１に示されるように、ページ（紙面と仮定した場合）の四隅を（０、０）、（Ｘｚ、０）、（０、Ｙｚ）、（Ｘｚ、Ｙｚ）とする。ここで、表示領域であるサイズ（Ｘｚ、Ｙｚ）は、大サイズ（ＸＡ、ＹＡ）よりもはるかに大きいものとする。また、余白の縦横の長さをＸ’、Ｙ’とする。その縦横の長さＸ’、Ｙ’は、それぞれ、小サイズ（ＸＣ、ＹＣ）の縦横の長さＸＣ、ＹＣよりもはるかに短いものとする。
まず、そのページの１枚目の写真を画像データＤ（１２）とする。その写真Ｄ（１２）の左上を始点（Ｘ’、Ｙ’）とし、写真Ｄ（１２）の重要度Ｇ（１２）に応じて写真の縦横の長さＸ（１，１）、Ｙ（１，１）とすると、右下の終点は（Ｘ’＋Ｘ（１，１）、Ｙ’＋Ｙ（１，１））となる。この場合、表示サイズ（Ｘ（１，１）、Ｙ（１，１））は、大サイズ（ＸＡ、ＹＡ）である。
次に、２枚目の写真を画像データＤ（１３）とする。その写真Ｄ（１３）の重要度Ｇ（１３）に応じて写真の縦横の長さＸ（１，２）、Ｙ（１，２）とした場合、写真Ｄ（１３）の始点（Ｘ’＋Ｘ（１，１）＋Ｘ’、Ｙ’）を決め、Ｘｚ−（Ｘ’＋Ｘ（１，１）＋Ｘ’）＞Ｘ（１，２）のとき、写真Ｄ（１３）を写真Ｄ（１２）の右側に配置する。表示サイズ（Ｘ（１，２）、Ｙ（１，２））は、中サイズ（ＸＢ、ＹＢ）である。時間軸レイアウト制御部３６は、これを繰り返し、Ｘｚ−（Ｘ’＋Ｘ（１，１）＋Ｘ’…）＜Ｘ（１，２）となったとき、次の写真として、例えば写真Ｄ（１５）を写真Ｄ（１２）の下に配置する。
２行目の写真Ｄ（１５）の始点は、Ｙ’＋Ｙ（１，１）、Ｙ’＋Ｙ（１，２）、…の中で一番大きいものに余白分Ｙ’を加えたＹ座標とする。Ｙ’＋Ｙ（１，１）＞Ｙ’＋Ｙ（１，２）＞…であれば、写真Ｄ（１５）の始点は（Ｘ’、Ｙ’＋Ｙ（１，１）＋Ｙ’）となる。
以降も、時間軸レイアウト制御部３６は、上記と同様に写真の大きさと余白部分を比較することを繰り返し、写真を配置していく。
時間軸レイアウト制御部３６は、ｎ番目（ｎは１以上の整数）の写真Ｙ（ｎ、ｎ）が、（Ｙ’＋Ｙ（１，１）＋Ｙ’＋…）＞Ｙｚとなったところで、次のページ（４ページ）に写真を貼り付ける。このような動作を１ページ目から最終ページ（ｍページ目）まで行なう。
【００８６】
上記の時間軸配置処理について、第ｍ時間軸ページレイアウトデータ６１（最終ページ）を用いて説明する。
最終ページの最後の写真を画像データＤ（ｍ）とする。その写真Ｄ（ｍ）の終点（Ｘｆ、Ｙｆ）がＹｆ＜Ｙｚ／４ならば、時間軸レイアウト制御部３６は、上記のｍ個の表示サイズの合計値がＭ個の時間軸ページレイアウトデータ６１の表示領域のサイズの合計値に収まるように、上記のｍ個の表示サイズの各々を調整する。即ち、ｍ個の写真Ｄ（１）〜Ｄ（ｍ）の表示サイズをα（例えば５％）だけ小さくし、上記の配置における処理を行ない、最終ページの写真を前のページに繰り上げる（この場合、Ｍ＝Ｍ−１）。これにより全体の写真Ｄ（１）〜Ｄ（ｍ）の見栄えがよくなる。
また、Ｙｚ／４＜Ｙｆ＜Ｙｚ／２ならば、時間軸レイアウト制御部３６は、上記のｍ個の表示サイズの合計値がＭ個の時間軸ページレイアウトデータ６１の表示領域のサイズの合計値に収まるように、上記のｍ個の表示サイズの各々を調整する。即ち、ｍ個の写真Ｄ（１）〜Ｄ（ｍ）の表示サイズをα（例えば５％）だけ大きくし、最終ページの写真の終点がＹｆ＞Ｙｚ／２となるようにする。これにより全体の写真Ｄ（１）〜Ｄ（ｍ）の見栄えがよくなる。
【００８７】
本発明の電子アルバム自動作成装置１によれば、Ｍ個の時間軸ページレイアウトデータ６１の表示領域には、ｍ個の画像データＤ（１）〜Ｄ（ｍ）が時系列で貼り付けられる。ｍ個の画像データＤ（１）〜Ｄ（ｍ）を表示領域に表示するときの表示サイズは、上記の重要度Ａ、Ｂ、Ｃに基づいて決定される。このため、本発明の電子アルバム自動作成装置１によれば、利用者の意図として被写体ＰＡ、ＰＢ、ＰＣ、ＰＤ、…やカメラ情報“ズーム”、“マニュアル設定”、セルフタイマー“、…を反映し、且つ、ｍ個の画像データＤ（１）〜Ｄ（ｍ）が時系列に並ぶ電子アルバム６０を自動的に作成することができる。
【００８８】
次に、（ＩＩ）の場合について説明する。（ＩＩ）の場合では、（Ｉ）の場合と重複する説明を省略する。
【００８９】
重要度割当処理（ステップＳ２）において、重要度割当部２０は、上述と同様に、時間重要度列｛ＧＡ（ｉ）｝と被写体重要度列｛ＧＢ（ｉ）｝とカメラ情報重要度列｛ＧＣ（ｉ）｝とを生成する。この場合、重要度割当部２０は、数４により、図２５に示されるような上記の重要度列｛Ｇ（ｉ）｝を生成して、アルバム作成部３０に出力する。
【００９０】
分割領域レイアウト処理（ステップＳ１４）において、アルバム作成部３０の対応重要度判定部３７は、画像データ取込部１０からの画像データ列｛Ｄ（ｉ）｝と、重要度割当部２０からの重要度列｛Ｇ（ｉ）｝とを受け取る。このとき、対応重要度判定部３７は、記憶装置４から、Ｎ個の分割領域ページレイアウトデータ６２を読み出す。
ここで、図２５に示される重要度Ｇ（７）、Ｇ（１２）、Ｇ（１９）、…、重要度Ｇ（１０）、Ｇ（１１）、Ｇ（１３）、Ｇ（１５）、Ｇ（１７）、Ｇ（２１）、…、重要度Ｇ（１）〜Ｇ（６）、Ｇ（８）、Ｇ（９）、Ｇ（１４）、Ｇ（１６）、Ｇ（１８）、Ｇ（２０）、…を、それぞれ、高重要度Ａ、中重要度Ｂ、低重要度Ｃとする。この場合、対応重要度判定部３７は、サイズ登録データベース４５を参照して、重要度列｛Ｇ（ｉ）｝が表すｍ個の重要度Ｇ（１）〜Ｇ（ｍ）の中から、高重要度Ａ、中重要度Ｂ、低重要度Ｃに対応する対応高重要度群Ｇ（７）、Ｇ（１２）、Ｇ（１９）、…、対応中重要度群Ｇ（１０）、Ｇ（１１）、Ｇ（１３）、Ｇ（１５）、Ｇ（１７）、Ｇ（２１）、…、対応低重要度群Ｇ（１）〜Ｇ（６）、Ｇ（８）、Ｇ（９）、Ｇ（１４）、Ｇ（１６）、Ｇ（１８）、Ｇ（２０）、…を選択する。
領域レイアウト制御部３８は、サイズ登録データベース４５を参照して、画像データ列｛Ｄ（ｉ）｝が表すｍ個の画像データＤ（１）〜Ｄ（ｍ）の合計値がＮ個の分割領域ページレイアウトデータ６２の表示領域のサイズの合計値に収まるように、ｍ個の画像データＤ（１）〜Ｄ（ｍ）のうちの、上記の対応高重要度群、対応中重要度群、対応低重要度群に対応する画像データを、大サイズ（ＸＡ、ＹＡ）、中サイズ（ＸＢ、ＹＢ）、小サイズ（ＸＣ、ＹＣ）に調整して、Ｎ個の分割領域ページレイアウトデータ６２の表示領域に配置する。
【００９１】
Ｎ個の分割領域ページレイアウトデータ６２の表示領域には、ｍ個の画像データＤ（１）〜Ｄ（ｍ）が時系列に関係なく貼り付けられる。例えば、重要度Ａ〜Ｃの写真（画像データ）について１枚から複数枚配置することができる。
【００９２】
ここで、Ｎ個の分割領域ページレイアウトデータ６２と、その表示領域へのｍ個の画像データＤ（１）〜Ｄ（ｍ）の配置として分割領域配置処理について詳細に説明する。
重要度Ａ〜Ｃの写真の枚数をそれぞれＮａ、Ｎｂ、Ｎｃとする。
【００９３】
分割領域配置処理において、Ｎａ＜Ｎｂ＜４×Ｎａ、Ｎａ＜Ｎｃ＜６×Ｎａである場合、領域レイアウト制御部３８は、Ｎ個の分割領域ページレイアウトデータ６２の表示領域として、図２６に示されるような基本形配置を利用できる。基本形配置におけるＮ個の分割領域ページレイアウトデータ６２の表示領域は、高重要度Ａに対応する領域と、中重要度Ｂに対応する領域と、低重要度Ｃに対応する領域と、低重要度Ｃに対応する領域とを含んでいる。この場合、領域レイアウト制御部３８は、上記の対応高重要度群、対応中重要度群、対応低重要度群に対応する画像データを、大サイズ（ＸＡ、ＹＡ）、中サイズ（ＸＢ、ＹＢ）、小サイズ（ＸＣ、ＹＣ）に調整して、Ｎ個の分割領域ページレイアウトデータ６２の高重要度Ａに対応する領域と、中重要度Ｂに対応する領域と、低重要度Ｃに対応する領域と、低重要度Ｃに対応する領域とに配置する。
この場合、重要度Ａ〜Ｃ毎にｍ個の画像データＤ（１）〜Ｄ（ｍ）を時系列に配置してもよい。
領域レイアウト制御部３８は、上記の対応高重要度群に対応する画像データを、大サイズ（ＸＡ、ＹＡ）に調整して、Ｎ個の分割領域ページレイアウトデータ６２の高重要度Ａに対応する領域に時系列に配置する。
領域レイアウト制御部３８は、上記の対応中重要度群に対応する画像データを、中サイズ（ＸＢ、ＹＢ）に調整して、Ｎ個の分割領域ページレイアウトデータ６２の中重要度Ｂに対応する領域に時系列に１枚から複数枚配置する。
領域レイアウト制御部３８は、上記の対応低重要度群に対応する画像データを、小サイズ（ＸＣ、ＹＣ）に調整して、Ｎ個の分割領域ページレイアウトデータ６２の低重要度Ｃに対応する領域と、低重要度Ｃに対応する領域とに、時系列に１枚から複数枚配置する。
これにより全体の写真Ｄ（１）〜Ｄ（ｍ）の見栄えがよくなる。
【００９４】
分割領域配置処理において、Ｎｂ＜４×Ｎａ、Ｎｃ＞６×Ｎａである場合、図２７に示されるように、領域レイアウト制御部３８は、基本形配置の余った中重要度Ｂに対応する領域を、低重要度Ｃに対応する領域として利用する。これにより全体の写真Ｄ（１）〜Ｄ（ｍ）の見栄えがよくなる。
【００９５】
分割領域配置処理において、Ｎｂ＞４×Ｎａ、Ｎｃ＜６×Ｎａである場合、図２８に示されるように、領域レイアウト制御部３８は、基本形配置の余った低重要度Ｃに対応する領域を、中重要度Ｂに対応する領域として利用する。これにより全体の写真Ｄ（１）〜Ｄ（ｍ）の見栄えがよくなる。
【００９６】
本発明の電子アルバム自動作成装置１によれば、Ｎ個の分割領域ページレイアウトデータ６２の表示領域には、ｍ個の画像データＤ（１）〜Ｄ（ｍ）が時系列に関係なく貼り付けられる。ｍ個の画像データＤ（１）〜Ｄ（ｍ）を表示領域に表示するときの表示サイズと配置は、上記の重要度Ａ、Ｂ、Ｃに基づいて決定される。このため、本発明の電子アルバム自動作成装置１によれば、利用者の意図として被写体ＰＡ、ＰＢ、ＰＣ、ＰＤ、…やカメラ情報“ズーム”、“マニュアル設定”、セルフタイマー“、…を反映し、且つ、ｍ個の画像データＤ（１）〜Ｄ（ｍ）が時系列に関係なく並ぶ電子アルバム６０を自動的に作成することができる。
【００９７】
次に、（ＩＩＩ）の場合について説明する。（ＩＩＩ）の場合では、（Ｉ）（ＩＩ）の場合と重複する説明を省略する。
【００９８】
時間軸・分割領域レイアウト処理（ステップＳ１５）において、重要度割当部２０の時間情報解析部２１は、画像データ列｛Ｄ（ｉ）｝が表すｍ個の画像データＤ（１）〜Ｄ（ｍ）の中から、時刻の間隔が等しい連写画像データ群Ｄ（１）〜Ｄ（５）を選択する。
画像類似比較部２２は、画像データ列｛Ｄ（ｉ）｝が表すｍ個の画像データＤ（１）〜Ｄ（ｍ）の中から、時刻の間隔が等しくなく、且つ、画像が類似する類似画像データ群Ｄ（７）〜Ｄ（９）を選択する。画像類似比較部２２が行なう画像の類似判定としては、特許文献５に記載された技術が用いられる。
時間重要度判定部２３は、類似画像データ群Ｄ（７）〜Ｄ（９）のうちの、先頭の画像データＤ（７）を第１類似画像データＤ（７）とし、それ以外を第２類似画像データ群Ｄ（８）〜Ｄ（９）とする。ここで、第１類似画像データは、類似画像データ群Ｄ（７）〜Ｄ（９）のうちの先頭の画像データＤ（７）ではなくてもよく、最終の画像データＤ（９）でもよい。時間重要度判定部２３は、画像データ列｛Ｄ（ｉ）｝が表すｍ個の画像データ（Ｄ（１）〜Ｄ（ｍ））の中から、連写画像データ群Ｄ（１）〜Ｄ（５）、第１類似画像データＤ（７）、第２類似画像データ群Ｄ（８）〜Ｄ（９）に対して、それぞれ連写重要度Ｒ、類似優先重要度１、類似予備重要度Ｙを割り当てる。また、連写画像データ群Ｄ（１）〜Ｄ（５）及び類似画像データ群Ｄ（７）〜Ｄ（９）以外の画像データに対して０を割り当てる。これにより、時間重要度判定部２３は、画像データ列｛Ｄ（ｉ）｝に対して、時間重要度ＧＡを表す時間重要度列｛ＧＡ（ｉ）｝を生成し、時間重要度記録データベース５１に登録する。
【００９９】
本発明の電子アルバム自動作成装置１によれば、時間登録データベース４１には、上記の連写重要度Ｒ、類似優先重要度１、類似予備重要度Ｙが予め登録されている。上記の画像データは、カメラ８により写真を撮るときに生成される。利用者（あるいは他の利用者）は、そのカメラ８の連写機能により同じアングルから何枚も写真を撮る場合がある。この場合、上記の連写画像データ群Ｄ（１）〜Ｄ（５）に含まれる時刻は、等間隔である。また、利用者（あるいは他の利用者）は、カメラ８の連写機能を用いていないが、写真を撮るときに失敗しないように、同じアングルから何枚も写真を撮る場合がある。この場合、上記の類似画像データ群Ｄ（７）〜Ｄ（９）に含まれる時刻は、等間隔ではない。このように、本発明の電子アルバム自動作成装置１によれば、利用者が単調なイメージを感じてしまうことなく、且つ、利用者の意図として上記の時刻を反映した電子アルバム６０を自動的に作成することができる。
【０１００】
重要度割当処理（ステップＳ２）において、重要度割当部２０は、上述と同様に、被写体重要度列｛ＧＢ（ｉ）｝とカメラ情報重要度列｛ＧＣ（ｉ）｝とを生成し、数４により上記の重要度列｛Ｇ（ｉ）｝を生成して、アルバム作成部３０に出力する。
【０１０１】
ここで、カメラ情報重要度列｛ＧＣ（ｉ）｝が表すカメラ情報重要度ＧＣが全て０である場合、上記の数４は、
【数６】
0004593506.tif 000007
により表される。
【０１０２】
時間軸・分割領域レイアウト処理（ステップＳ１５）において、アルバム作成部３０の表示サイズ判定部３５、対応重要度判定部３７は、画像データ取込部１０からの画像データ列｛Ｄ（ｉ）｝と、重要度割当部２０からの重要度列｛Ｇ（ｉ）｝とを受け取る。このとき、対応重要度判定部３７は、記憶装置４から、Ｎ個の分割領域ページレイアウトデータ６２を読み出す。表示サイズ判定部３５は、記憶装置４から、Ｍ個の時間軸ページレイアウトデータ６１のうちの１つを連写用時間軸ページレイアウトデータ６１として読み出し、他の１つを類似用時間軸ページレイアウトデータ６１として読み出す。
【０１０３】
時間軸・分割領域レイアウト処理（ステップＳ１５）において、図２５に示されるように、重要度Ｇ（７）、Ｇ（１２）、Ｇ（１９）、…、重要度Ｇ（１０）、Ｇ（１１）、Ｇ（１３）、Ｇ（１５）、Ｇ（１７）、Ｇ（２１）、…、重要度Ｇ（１４）、Ｇ（１６）、Ｇ（１８）、Ｇ（２０）、…、重要度Ｇ（１）〜Ｇ（６）、重要度Ｇ（８）、Ｇ（９）は、それぞれ、高重要度Ａ、中重要度Ｂ、低重要度Ｃ、連写重要度Ｒ、類似予備重要度Ｙである。対応重要度判定部３７は、サイズ登録データベース４５を参照して、重要度列｛Ｇ（ｉ）｝が表すｍ個の重要度Ｇ（１）〜Ｇ（ｍ）の中から、連写重要度Ｒ、類似優先重要度及び類似予備重要度Ｙ以外の領域重要度群Ｇ（６）、Ｇ（１０）〜Ｇ（ｍ）を選択し、領域重要度群Ｇ（６）、Ｇ（１０）〜Ｇ（ｍ）の中から、高重要度Ａ、中重要度Ｂ、低重要度Ｃに対応する対応高重要度群Ｇ（７）、Ｇ（１２）、Ｇ（１９）、…、対応中重要度群Ｇ（１０）、Ｇ（１１）、Ｇ（１３）、Ｇ（１５）、Ｇ（１７）、Ｇ（２１）、…、対応低重要度群Ｇ（１４）、Ｇ（１６）、Ｇ（１８）、Ｇ（２０）、…を選択する。
領域レイアウト制御部３８は、サイズ登録データベース４５を参照して、画像データ列｛Ｄ（ｉ）｝が表すｍ個の画像データＤ（１）〜Ｄ（ｍ）の中から、連写画像データ群Ｄ（１）〜Ｄ（５）及び類似画像データ群Ｄ（７）〜Ｄ（９）以外の領域画像データ群Ｄ（６）、Ｄ（１０）〜Ｄ（ｍ）を選択する。領域レイアウト制御部３８は、サイズ登録データベース４５を参照して、領域画像データ群Ｄ（６）、Ｄ（１０）〜Ｄ（ｍ）の合計値がＮ個の分割領域ページレイアウトデータ６２の表示領域のサイズの合計値に収まるように、領域画像データ群Ｄ（６）、Ｄ（１０）〜Ｄ（ｍ）のうちの、対応高重要度群、対応中重要度群、対応低重要度群に対応する画像データ（Ｇ（７）、Ｇ（１２）、Ｇ（１９）、…）（Ｇ（１０）、Ｇ（１１）、Ｇ（１３）、Ｇ（１５）、Ｇ（１７）、Ｇ（２１）、…）（Ｇ（１４）、Ｇ（１６）、Ｇ（１８）、Ｇ（２０）、…）を、大サイズ（ＸＡ、ＹＡ）、中サイズ（ＸＢ、ＹＢ）、小サイズ（ＸＣ、ＹＣ）に調整して、Ｎ個の分割領域ページレイアウトデータ６２の表示領域に配置する。このとき、Ｎ個の分割領域ページレイアウトデータ６２に対して、上記の分割領域配置処理が実行される。
【０１０４】
時間軸・分割領域レイアウト処理（ステップＳ１５）において、表示サイズ判定部３５は、サイズ登録データベース４５を参照して、重要度列｛Ｇ（ｉ）｝が表すｍ個の重要度Ｇ（１）〜Ｇ（ｍ）の中から、連写画像データ群Ｄ（１）〜Ｄ（５）に対応する連写重要度Ｒを選択し、連写重要度Ｒに対応する表示サイズとして連写サイズ（ＸＲ、ＹＲ）を決定して、連写サイズ（ＸＲ、ＹＲ）を表す連写表示サイズ列を生成する。
時間軸レイアウト制御部３６は、サイズ登録データベース４５を参照して、連写表示サイズ列が表す連写サイズ（ＸＲ、ＹＲ）の合計値が連写用時間軸ページレイアウトデータ６１の表示領域のサイズに収まるように、連写表示サイズ列が表す連写サイズ（ＸＲ、ＹＲ）の各々を調整して、画像データ列｛Ｄ（ｉ）｝が表す連写画像データ群Ｄ（１）〜Ｄ（５）を、連写用時間軸ページレイアウトデータ６１の表示領域に配置する。このとき、連写用時間軸ページレイアウトデータ６１に対して、上記の時間軸配置処理が実行される。
【０１０５】
時間軸・分割領域レイアウト処理（ステップＳ１５）において、表示サイズ判定部３５は、サイズ登録データベース４５を参照して、重要度列｛Ｇ（ｉ）｝が表すｍ個の重要度Ｇ（１）〜Ｇ（ｍ）の中から、第１類似画像データＤ（７）に対応する重要度（高重要度Ａ）として類似優先重要度を選択し、類似優先重要度（高重要度Ａ）に対応する表示サイズとして類似優先サイズ（ＸＡ、ＹＡ）を決定し、第２類似画像データ群Ｄ（８）〜Ｄ（９）に対応する類似予備重要度Ｙを選択し、類似予備重要度Ｙに対応する表示サイズとして予備サイズ（ＸＹ、ＹＹ）を決定し、類似優先サイズ（ＸＡ、ＹＡ）と予備サイズ（ＸＹ、ＹＹ）、（ＸＹ、ＹＹ）とを表す類似表示サイズ列を生成する。
時間軸レイアウト制御部３６は、サイズ登録データベース４５を参照して、類似表示サイズ列が表す類似優先サイズ（ＸＡ、ＹＡ）と予備サイズ（ＸＹ、ＹＹ）、（ＸＹ、ＹＹ）との合計値が類似用時間軸ページレイアウトデータ６１の表示領域のサイズに収まるように、類似表示サイズ列が表す予備サイズ（ＸＹ、ＹＹ）、（ＸＹ、ＹＹ）の各々を小さくし、画像データ列｛Ｄ（ｉ）｝が表す類似画像データ群Ｄ（７）〜Ｄ（９）を、類似用時間軸ページレイアウトデータ６１の表示領域に配置する。このとき、類似用時間軸ページレイアウトデータ６１に対して、上記の時間軸配置処理が実行される。
【０１０６】
本発明の電子アルバム自動作成装置１によれば、Ｎ個の分割領域ページレイアウトデータ６２の表示領域には、ｍ個の画像データＤ（１）〜Ｄ（ｍ）のうちの対応高重要度群、対応中重要度群、対応低重要度群に対応する画像データ（Ｇ（７）、Ｇ（１２）、Ｇ（１９）、…）（Ｇ（１０）、Ｇ（１１）、Ｇ（１３）、Ｇ（１５）、Ｇ（１７）、Ｇ（２１）、…）（Ｇ（１４）、Ｇ（１６）、Ｇ（１８）、Ｇ（２０）、…）が時系列に関係なく貼り付けられる。この画像データを表示領域に表示するときの表示サイズと配置は、上記の重要度Ａ、Ｂ、Ｃに基づいて決定される。このため、本発明の電子アルバム自動作成装置１によれば、利用者の意図として被写体ＰＡ、ＰＢ、ＰＣ、ＰＤ、…やカメラ情報“ズーム”、“マニュアル設定”、セルフタイマー“、…を反映し、且つ、対応高重要度群、対応中重要度群、対応低重要度群に対応する画像データ（Ｇ（７）、Ｇ（１２）、Ｇ（１９）、…）（Ｇ（１０）、Ｇ（１１）、Ｇ（１３）、Ｇ（１５）、Ｇ（１７）、Ｇ（２１）、…）（Ｇ（１４）、Ｇ（１６）、Ｇ（１８）、Ｇ（２０）、…）が時系列に関係なく並ぶ電子アルバム６０を自動的に作成することができる。
【０１０７】
また、本発明の電子アルバム自動作成装置１によれば、連写用時間軸ページレイアウトデータ６１、類似用時間軸ページレイアウトデータ６１の表示領域には、それぞれ、連写画像データ群Ｄ（１）〜Ｄ（５）、類似画像データ群Ｄ（７）〜Ｄ（９）が時系列で貼り付けられる。連写画像データ群Ｄ（１）〜Ｄ（５）を表示領域に表示するときの表示サイズは、上記の重要度Ｒに基づいて決定される。類似画像データ群Ｄ（７）〜Ｄ（９）の第１類似画像データＤ（７）と、第２類似画像データ群Ｄ（８）〜Ｄ（９）とを表示領域に表示するときの表示サイズは、上記の重要度Ａ、Ｂ、Ｃと、上記の重要度Ｙとに基づいて決定される。このため、本発明の電子アルバム自動作成装置１によれば、利用者の意図として時刻に関する情報（連写画像データ群Ｄ（１）〜Ｄ（５）に含まれる時刻、類似画像データ群Ｄ（７）〜Ｄ（９）に含まれる時刻）を反映し、且つ、連写画像データ群Ｄ（１）〜Ｄ（５）、類似画像データ群Ｄ（７）〜Ｄ（９）が時系列に並ぶ電子アルバム６０を自動的に作成することができる。
【０１０８】
時間軸レイアウト処理（ステップＳ１３）、分割領域レイアウト処理（ステップＳ１４）、時間軸・分割領域レイアウト処理（ステップＳ１５）において、電子アルバム６０の上記のページに背景画面（背景データ）、ＢＧＭ（ＢＧＭデータ）、フレーム（フレームデータ）、クリップアート（クリップアートデータ）が適用される。
【０１０９】
アルバム作成部３０の背景選択部３１は、電子アルバム６０の上記ページの表示領域に配置される画像データに対応する重要度の合計値であるページ内重要度を算出する。
背景選択部３１は、背景登録データベース４６を参照して、複数の背景用重要度のうちのページ内重要度に対応する選択背景用重要度を選択し、複数の背景データのうちの選択背景用重要度に対応する選択背景データを選択し、選択背景データを上記ページに適用して、上記ページの表示領域以外の領域に配置する。
【０１１０】
アルバム作成部３０のＢＧＭ選択部３２は、電子アルバム６０の上記ページの表示領域に配置される画像データに対応する重要度の合計値であるページ内重要度を算出する。
ＢＧＭ選択部３２は、ＢＧＭ登録データベース４７を参照して、複数の背景用重要度のうちの、ページ内重要度に対応する選択ＢＧＭ用重要度を選択し、複数のＢＧＭデータのうちの選択ＢＧＭ用重要度に対応する選択ＢＧＭデータを選択し、選択ＢＧＭデータを前記ページに適用する。
【０１１１】
アルバム作成部３０のフレーム選択部３３は、フレーム登録データベース４８を参照して、複数のフレーム用重要度のうちの、電子アルバム６０の上記ページの表示領域に配置される画像データに対応する選択フレーム用重要度を選択し、複数のフレームデータのうちの選択フレーム用重要度に対応する選択フレームデータを選択し、選択フレームデータを、上記ページの表示領域に配置される画像データのフレームとして適用する。
【０１１２】
アルバム作成部３０のクリップアート選択部３４は、クリップアート登録データベース４９を参照して、複数のクリップアート用重要度のうちの、電子アルバム６０の上記ページの表示領域に配置される画像データに対応する選択クリップアート用重要度を選択し、複数のクリップアートデータのうちの選択クリップアート用重要度に対応する選択クリップアートデータを選択し、選択クリップアートデータを上記ページに適用する。
【０１１３】
本発明の電子アルバム自動作成装置１によれば、背景登録データベース４６には、複数の背景用重要度と、それに対する複数の背景データとが、利用者によって又は予め登録される。このため、本発明の電子アルバム自動作成装置１によれば、利用者が単調なイメージを感じてしまうことなく、且つ、利用者の意図として背景データを反映した電子アルバム６０を自動的に作成することができる。例えば、第１背景用重要度に対する背景データとして、利用者がインターネットによりダウンロードした画像データを使用し、第１背景用重要度よりも低い第２背景用重要度に対する背景データとして、予め登録された背景データを使用することにより、毎回同じ背景データが適用されることはない。
【０１１４】
また、本発明の電子アルバム自動作成装置１によれば、ＢＧＭ登録データベース４７には、複数のＢＧＭ用重要度と、それに対する複数のＢＧＭデータとが、利用者によって又は予め登録される。このため、本発明の電子アルバム自動作成装置１によれば、利用者が単調なイメージを感じてしまうことなく、且つ、利用者の意図としてＢＧＭデータを反映した電子アルバム６０を自動的に作成することができる。例えば、第１ＢＧＭ用重要度に対するＢＧＭデータとして、利用者がインターネットによりダウンロードした音楽データを使用し、第１ＢＧＭ用重要度よりも低い第２ＢＧＭ用重要度に対するＢＧＭデータとして、予め登録されたＢＧＭデータを使用することにより、毎回同じＢＧＭデータが適用されることはない。
【０１１５】
本発明の電子アルバム自動作成装置１によれば、フレーム登録データベース４８には、複数のフレーム用重要度と、それに対する複数のフレームデータとが、利用者によって又は予め登録される。このため、本発明の電子アルバム自動作成装置１によれば、利用者が単調なイメージを感じてしまうことなく、且つ、利用者の意図としてフレームデータを反映した電子アルバム６０を自動的に作成することができる。これにより、毎回同じフレームデータが適用されることはない。例えば、連写画像データ群Ｄ（１）〜Ｄ（５）がカメラ８の連写機能により等間隔で撮られたことが分かるように、その連写画像データ群に適用されるフレームデータとしては、フィルムロールのようなフレームであることが好ましい。また、類似画像データ群Ｄ（７）〜Ｄ（９）が同じアングルから撮られたことが分かるように、第１類似画像データＤ（７）には、代表写真とするフレームが適用され、第２類似画像データ群Ｄ（８）〜Ｄ（９）には、代表写真とセットであることを示すフレームが適用されることが好ましい。
【０１１６】
本発明の電子アルバム自動作成装置１によれば、クリップアート登録データベース４９には、複数のクリップアート用重要度と、それに対する複数のクリップアートデータとが、利用者によって又は予め登録される。このため、本発明の電子アルバム自動作成装置１によれば、利用者が単調なイメージを感じてしまうことなく、且つ、利用者の意図としてクリップアートデータを反映した電子アルバム６０を自動的に作成することができる。例えば、第１クリップアート用重要度に対するクリップアートデータとして、利用者がインターネットによりダウンロードしたアニメーション（あるいは動画像）を使用し、第１クリップアート用重要度よりも低い第２クリップアート用重要度に対するクリップアートデータとして、予め登録されたクリップアートデータを使用することにより、毎回同じクリップアートデータが適用されることはない。
【０１１７】
時間軸レイアウト処理（ステップＳ１３）、分割領域レイアウト処理（ステップＳ１４）、時間軸・分割領域レイアウト処理（ステップＳ１５）において、アルバム作成部３０は、上記の電子アルバム６０を表示装置７に表示する。このとき、アルバム作成部３０は、利用者の操作により、電子アルバム６０を記憶装置４に上書き又は新規に格納する。
以上の説明により、本発明によれば、予め用意されたテンプレートに複数の画像データを貼り付けるのではなく、複数の画像データに対する複数の重要度により電子アルバムを生成する。このため、利用者が単調なイメージを感じてしまうことなく、且つ、利用者の意図を反映した電子アルバムを自動的に作成することができる。
【図面の簡単な説明】
【０１１８】
【図１】図１は、従来の画像データの編集を説明するための図である。
【図２】図２は、従来の画像データの編集を説明するための図である。
【図３】図３は、従来の画像データの編集を説明するための図である。
【図４】図４は、本発明の電子アルバム自動作成装置１の構成を示している。
【図５】図５は、重要度割当部２０を示している。
【図６】図６は、アルバム作成部３０を示している。
【図７】図７は、登録済データベース４０を示している。
【図８】図８は、記録用データベース５０を示している。
【図９】図９は、登録済データベース４０内の時間登録データベース４１を示している。
【図１０】図１０は、登録済データベース４０内の被写体登録データベース４２を示している。
【図１１】図１１は、登録済データベース４０内のカメラ情報登録データベース４３を示している。
【図１２】図１２は、登録済データベース４０内の集計用登録データベース４４を示している。
【図１３】図１３は、登録済データベース４０内のサイズ登録データベース４５を示している。
【図１４】図１４は、登録済データベース４０内の背景登録データベース４６を示している。
【図１５】図１５は、登録済データベース４０内のＢＧＭ登録データベース４７を示している。
【図１６】図１６は、登録済データベース４０内のフレーム登録データベース４８を示している。
【図１７】図１７は、登録済データベース４０内のクリップアート登録データベース４９を示している。
【図１８】図１８は、記録用データベース５０内の時間重要度記録データベース５１を示している。
【図１９】図１９は、記録用データベース５０内の被写体重要度記録データベース５２を示している。
【図２０】図２０は、記録用データベース５０内のカメラ重要度記録データベース５３を示している。
【図２１】図２１は、時間軸ページレイアウトデータを示している。
【図２２】図２２は、分割領域ページレイアウトデータを示している。
【図２３】図２３は、電子アルバム自動作成装置１の機能ロジックを表している。
【図２４】図２４は、電子アルバム自動作成装置１の動作を示すフローチャートである。
【図２５】図２５は、重要度列｛Ｇ（ｉ）｝を示している。
【図２６】図２６は、分割領域ページレイアウトデータを示している（基本形配置）。
【図２７】図２７は、分割領域ページレイアウトデータを示している（変形例１）。
【図２８】図２８は、分割領域ページレイアウトデータを示している（変形例２）。
【符号の説明】
【０１１９】
１    電子アルバム自動作成装置
２    制御装置
３    ＣＰＵ
４    記憶装置
５    コンピュータプログラム
６    データベース
７    表示装置
１０    画像データ取込部
２０    重要度割当部
２１    時間情報解析部
２２    画像類似比較部
２３    時間重要度判定部
２４    被写体認識部
２５    被写体重要度判定部
２６    カメラ情報認識部
２７    カメラ情報重要度判定部
２８    重要度集計部
３０    アルバム作成部
３１    背景選択部
３２    バックグラウンド・ミュージック（ＢＧＭ）選択部
３３    フレーム選択部
３４    クリップアート選択部
３５    表示サイズ判定部
３６    時間軸レイアウト制御部
３７    対応重要度判定部
３８    領域レイアウト制御部
４０    登録済データベース
４１    時間登録データベース
４２    被写体登録データベース
４３    カメラ情報登録データベース
４４    集計用登録データベース
４５    サイズ登録データベース
４６    背景登録データベース
４７    ＢＧＭ登録データベース
４８    フレーム登録データベース
４９    クリップアート登録データベース
５０    記録用データベース
５１    時間重要度記録データベース
５２    被写体重要度記録データベース
５３    カメラ重要度記録データベース
６０    電子アルバム
６１    時間軸ページレイアウトデータ
６２    分割領域ページレイアウトデータ
【図１】
0004593506.tif 000008
【図２】
0004593506.tif 000009
【図３】
0004593506.tif 000010
【図４】
0004593506.tif 000011
【図５】
0004593506.tif 000012
【図６】
0004593506.tif 000013
【図７】
0004593506.tif 000014
【図８】
0004593506.tif 000015
【図９】
0004593506.tif 000016
【図１０】
0004593506.tif 000017
【図１１】
0004593506.tif 000018
【図１２】
0004593506.tif 000019
【図１３】
0004593506.tif 000020
【図１４】
0004593506.tif 000021
【図１５】
0004593506.tif 000022
【図１６】
0004593506.tif 000023
【図１７】
0004593506.tif 000024
【図１８】
0004593506.tif 000025
【図１９】
0004593506.tif 000026
【図２０】
0004593506.tif 000027
【図２１】
0004593506.tif 000028
【図２２】
0004593506.tif 000029
【図２３】
0004593506.tif 000030
【図２４】
0004593506.tif 000031
【図２５】
0004593506.tif 000032
【図２６】
0004593506.tif 000033
【図２７】
0004593506.tif 000034
【図２８】
0004593506.tif 000035